(57)【要約】【課題】無駄な手間をかけることなく、手軽にサービスを享受可能な映像表示システムを提供する。【解決手段】映像表示装置は、映像表示装置の装置識別情報を、通信端末装置へ送信する。通信端末装置は、サービスサーバから発行されたユーザ識別情報と、映像表示装置の装置識別情報とを、サービスサーバへ送信する。映像表示装置は、サービスサーバが、ユーザ識別情報と、映像表示装置の装置識別情報とを受信することにより映像表示装置へ送信するコンテンツを受信する。【選択図】図１３
2008005222.tif 000002
【特許請求の範囲】
【請求項１】
登録された装置に発行するユーザ識別情報を受信した場合、装置を識別するための装置識別情報により特定される装置へコンテンツを送信するサービスサーバから前記ユーザ識別情報が発行された通信端末装置と、映像表示装置とから構成される映像表示システムであって、
前記映像表示装置は、
前記映像表示装置の装置識別情報を、前記通信端末装置へ送信する第１送信手段を備え、
前記通信端末装置は、
前記映像表示装置の装置識別情報を受信する第１受信手段と、
前記サービスサーバから発行された前記ユーザ識別情報と、前記映像表示装置の装置識別情報とを、前記サービスサーバへ送信する第２送信手段とを備え、
前記映像表示装置は、
前記サービスサーバが、前記ユーザ識別情報と、前記映像表示装置の装置識別情報とを受信することにより前記映像表示装置へ送信するコンテンツを受信する第２受信手段をさらに備える、映像表示システム。
【請求項２】
前記映像表示装置は、
受信したコンテンツを表示する表示手段をさらに備える、請求項１に記載の映像表示システム。
【請求項３】
前記通信端末装置は、他の通信端末装置とデータ通信可能であり、
前記通信端末装置の前記第２送信手段は、受信した前記映像表示装置の装置識別情報を、前記他の通信端末装置へ送信し、
前記他の通信端末装置は、前記サービスサーバから発行された前記ユーザ識別情報と、受信した前記映像表示装置の装置識別情報とを、前記サービスサーバへ送信し、
前記映像表示装置の前記第２受信手段は、前記サービスサーバが、前記ユーザ識別情報と、前記映像表示装置の装置識別情報とを受信することにより前記映像表示装置へ送信するコンテンツを受信する、請求項１に記載の映像表示システム。
【請求項４】
前記通信端末装置の前記第１受信手段は、前記サービスサーバが送信する、複数のコンテンツ情報を含むコンテンツリストを受信し、
前記通信端末装置は、
受信したコンテンツリストに含まれる前記複数のコンテンツ情報を表示するリスト表示手段をさらに備え、
前記映像表示装置の前記第２受信手段が前記サービスサーバから受信するコンテンツは、前記リスト表示手段に表示された前記複数のコンテンツ情報のうち、選択指示により選択されたコンテンツ情報に対応するコンテンツである、請求項１に記載の映像表示システム。
【請求項５】
前記通信端末装置の前記第２送信手段は、前記映像表示装置のネットワークアドレスを、前記サービスサーバへ送信し、
前記映像表示装置の前記第２受信手段が前記サービスサーバから受信するコンテンツは、前記サービスサーバが、前記ネットワークアドレスにより特定される前記映像表示装置へ送信するコンテンツである、請求項１に記載の映像表示システム。
【発明の詳細な説明】
【技術分野】
【０００１】
本発明は、映像表示システムに関し、特に、コンテンツの配信を行なうサービスサーバからコンテンツを受信する、映像表示システムに関する。
【背景技術】
【０００２】
近年、宅内の複数種類の装置間において、互いにデータ通信を可能とするための規格（以下、異装置間通信規格ともいう）に準拠した装置が普及しつつある。異装置間通信規格は、たとえば、ＤＬＮＡ（Digital Living Network Alliance）規格である。異装置間通信規格に準拠した装置は、たとえば、テレビ受像機、ＨＤＤ（Hard disk drive）レコーダ、オーディオ装置等である。また、異装置間通信規格に準拠した装置は、一般的に、ルータ等のネットワーク機器を介して、インターネット等のネットワークにも接続可能となっている。
【０００３】
また、ネットワークに接続可能な異装置間通信規格に準拠した装置は、リモコンで操作可能な装置であるのが一般的である。そのため、リモコンで操作可能であり、かつ、ネットワークに接続可能な複数種類の装置を、１つの装置で操作することが要求される。
【０００４】
特開２００２−１３５８１０号公報（特許文献１）には、インターネット等のネットワークに接続可能であって、普及率が非常に高い携帯電話等の通信端末装置を、ネットワークに接続可能な装置を操作するためのリモコンとして使用する技術（以下、第１の先行技術ともいう）が開示されている。
【０００５】
また、特開２００２−２３２８６６号公報（特許文献２）には、携帯電話を利用して、テレビショッピングの決済を簡便に行なう技術（以下、第２の先行技術ともいう）が開示されている。
【０００６】
また、特開２００５−１２３７８０号公報（特許文献３）には、テレビが、周辺の携帯電話を自動認識し、携帯電話の利用者の嗜好に合ったテレビ番組を提供する技術（以下、第３の先行技術ともいう）が開示されている。
【特許文献１】特開２００２−１３５８１０号公報
【特許文献２】特開２００２−２３２８６６号公報
【特許文献３】特開２００５−１２３７８０号公報
【発明の開示】
【発明が解決しようとする課題】
【０００７】
最近では、第１〜第３の先行技術のように、携帯電話等の通信端末装置と、テレビ等の映像表示装置とを連携させて使用する場面が増えつつある。そして、上記２つの装置を連携させて使用することで、コンテンツサイトから、各種サービスを享受する場面も増えつつある。
【０００８】
コンテンツサイトは、登録したユーザにのみ各種サービスを提供するのが一般的である。携帯電話等の通信端末装置は、ユーザが手軽に持ち運びができるため、コンテンツサイトに登録する処理（以下、登録処理ともいう）が、いつでも手軽にできる。
【０００９】
なお、テレビ等の映像表示装置で、コンテンツサイトに登録する登録処理を行なうことは可能であるが、携帯電話等の通信端末装置のようにいつでも手軽に登録処理を行なうことは困難である。また、通信端末装置および映像表示装置の両方の装置で登録処理をするのは、ユーザに無駄な手間をかけるという問題点がある。
【００１０】
本発明は、上述の問題点を解決するためになされたものであって、その目的は、無駄な手間をかけることなく、手軽にサービスを享受可能な映像表示システムを提供することである。
【課題を解決するための手段】
【００１１】
上述の課題を解決するために、この発明のある局面に従うと、登録された装置に発行するユーザ識別情報を受信した場合、装置を識別するための装置識別情報により特定される装置へコンテンツを送信するサービスサーバからユーザ識別情報が発行された通信端末装置と、映像表示装置とから構成される映像表示システムであって、映像表示装置は、映像表示装置の装置識別情報を、通信端末装置へ送信する第１送信手段を備え、通信端末装置は、映像表示装置の装置識別情報を受信する第１受信手段と、サービスサーバから発行されたユーザ識別情報と、映像表示装置の装置識別情報とを、サービスサーバへ送信する第２送信手段とを備え、映像表示装置は、サービスサーバが、ユーザ識別情報と、映像表示装置の装置識別情報とを受信することにより映像表示装置へ送信するコンテンツを受信する第２受信手段をさらに備える。
【００１２】
好ましくは、映像表示装置は、受信したコンテンツを表示する表示手段をさらに備える。
【００１３】
好ましくは、通信端末装置は、他の通信端末装置とデータ通信可能であり、通信端末装置の第２送信手段は、受信した映像表示装置の装置識別情報を、他の通信端末装置へ送信し、他の通信端末装置は、サービスサーバから発行されたユーザ識別情報と、受信した映像表示装置の装置識別情報とを、サービスサーバへ送信し、映像表示装置の第２受信手段は、サービスサーバが、ユーザ識別情報と、映像表示装置の装置識別情報とを受信することにより映像表示装置へ送信するコンテンツを受信する。
【００１４】
好ましくは、通信端末装置の第１受信手段は、サービスサーバが送信する、複数のコンテンツ情報を含むコンテンツリストを受信し、通信端末装置は、受信したコンテンツリストに含まれる複数のコンテンツ情報を表示するリスト表示手段をさらに備え、映像表示装置の第２受信手段がサービスサーバから受信するコンテンツは、リスト表示手段に表示された複数のコンテンツ情報のうち、選択指示により選択されたコンテンツ情報に対応するコンテンツである。
【００１５】
好ましくは、通信端末装置の第２送信手段は、映像表示装置のネットワークアドレスを、サービスサーバへ送信し、映像表示装置の第２受信手段がサービスサーバから受信するコンテンツは、サービスサーバが、ネットワークアドレスにより特定される映像表示装置へ送信するコンテンツである。
【発明の効果】
【００１６】
本発明に係る映像表示システムは、通信端末装置と、映像表示装置とから構成される。映像表示装置は、映像表示装置の装置識別情報を、通信端末装置へ送信する。通信端末装置は、サービスサーバから発行されたユーザ識別情報と、映像表示装置の装置識別情報とを、サービスサーバへ送信する。映像表示装置は、サービスサーバが、ユーザ識別情報と、映像表示装置の装置識別情報とを受信することにより映像表示装置へ送信するコンテンツを受信する。
【００１７】
したがって、映像表示装置は、登録された装置にしか発行されないユーザ識別情報を保有していなくても、ユーザ識別情報を有する通信端末装置が、ユーザ識別情報を、サービスサーバへ送信することで、サービスサーバからコンテンツを受信できる。すなわち、通信端末装置および映像表示装置の両方の装置でサービスサーバに登録する手間が不要となる。その結果、無駄な手間をかけることなく、手軽にサービスを享受することができるという効果を奏する。
【発明を実施するための最良の形態】
【００１８】
以下、図面を参照しつつ、本発明の実施の形態について説明する。以下の説明では、同一の部品には同一の符号を付してある。それらの名称および機能も同じである。したがって、それらについての詳細な説明は繰り返さない。
【００１９】
＜第１の実施の形態＞
図１は、本実施の形態におけるネットワークシステム１０００の構成を示す図である。図１を参照して、ネットワークシステム１０００には、ホームネットワーク５０１が含まれる。
【００２０】
ホームネットワーク５０１は、たとえば、宅内に設けられたネットワークである。宅内とは、たとえば、ユーザの自宅内、会社内等である。ホームネットワーク５０１には、通信端末装置５００と、映像表示装置６００と、通信部５０とが含まれる。
【００２１】
通信端末装置５００は、ＰＤＡ（Personal Digital Assistance）である。また、通信端末装置５００は、電話の機能を有する。なお、通信端末装置５００は、電話の機能を有していなくてもよい。また、通信端末装置５００は、ＰＤＡに限定されることなく、通信機能を備え、携帯可能な装置であればどのような装置（たとえば、ＰＣ（Personal Computer）、携帯電話）でもよい。
【００２２】
通信端末装置５００は、電話網６０と、無線によりデータ通信可能である。電話網６０は、たとえば、携帯電話のための電話網である。なお、通信端末装置５００は、電話網６０とデータ通信をした場合、データ通信時に使用したデータ量に応じたパケット料金が発生する。
【００２３】
映像表示装置６００は、液晶テレビである。なお、映像表示装置６００は、液晶テレビに限定されることなく、画像を表示可能な装置であればどのような装置であってもよい。映像表示装置６００は、たとえば、プラズマテレビであってもよい。また、映像表示装置６００は、画像を表示するための表示装置と、当該表示装置に表示させるための画像データを送信する画像データ送信装置とから構成される装置であってもよい。画像データ送信装置は、たとえば、ＳＴＢ（Set Top Box）、ＨＤＤレコーダ、ＤＶＤ（Digital Versatile Disc）レコーダ等である。
【００２４】
通信端末装置５００と、映像表示装置６００とは、無線または有線でデータ通信を行なう。すなわち、通信端末装置５００と、映像表示装置６００とから映像表示システムが構成される。
【００２５】
通信部５０は、通信端末装置５００、映像表示装置６００およびネットワーク７０の各々と、データ通信を行なう機能を有する。ネットワーク７０は、インターネットなどの外部のネットワークである。
【００２６】
通信部５０は、無線ＬＡＮの規格である、ＩＥＥＥ８０２．１１ａ、ＩＥＥＥ８０２．１１ｂおよびＩＥＥＥ８０２．１１ｇのいずれかに基づく無線技術を利用して、複数の機器と同時にデータ通信を行なう機能を有する。なお、無線技術は、ＩＥＥＥ８０２．１１ａ、ＩＥＥＥ８０２．１１ｂおよびＩＥＥＥ８０２．１１ｇのいずれかに基づく技術に限定されることはなく、その他の無線技術であってもよい。したがって、通信部５０は、通信端末装置５００、映像表示装置６００およびネットワーク７０の各々と、無線でデータ通信を行なうことが可能である。
【００２７】
また、通信部５０は、さらに、イーサネット（登録商標）を利用した通信用インターフェースを有し、ホームネットワーク５０１内の装置がネットワーク７０への接続要求を出した場合、機器が有するアドレスをネットワーク７０におけるアドレスに変換するＮＡＴ（Network Address Translation）機能を含むルータ機能を持つ。したがって、通信部５０は、たとえば、ＬＡＮケーブルを介して、通信端末装置５００、映像表示装置６００およびネットワーク７０の各々とデータ通信を行なうことができる。すなわち、通信部５０は、通信端末装置５００、映像表示装置６００およびネットワーク７０の各々と、有線でデータ通信を行なうことが可能である。
【００２８】
また、通信部５０は、さらに、イーサネット（登録商標）を利用した通信用インターフェースの機能（たとえば、ルータ機能）を有する。したがって、通信部５０は、たとえば、ＬＡＮケーブルを介して、通信端末装置５００、映像表示装置６００およびネットワーク７０の各々とデータ通信を行なうことができる。すなわち、通信部５０は、通信端末装置５００、映像表示装置６００およびネットワーク７０の各々と、有線でデータ通信を行なうことが可能である。
【００２９】
また、ネットワーク７０は、電話網６０と、無線または有線によりデータ通信可能である。したがって、通信端末装置５００は、電話網６０を介して、ネットワーク７０とデータ通信可能である。
【００３０】
ネットワークシステム１０００には、さらに、サービスサーバ８００Ａと、検索サーバ８００Ｓと、Ｗｅｂサーバ８００Ｗとが含まれる。
【００３１】
サービスサーバ８００Ａは、コンテンツおよび、コンテンツに関連する情報等を提供するサーバである。コンテンツは、たとえば、動画像、音楽データ等である。コンテンツが、たとえば、番組の動画像である場合、コンテンツに関連する情報とは、たとえば、番組情報である。サービスサーバ８００Ａは、ＰＣである。なお、サービスサーバ８００Ａは、ＰＣに限定されることなく、動画像等のコンテンツ、音楽データ等のコンテンツ、コンテンツに関連する情報等を提供する機能を有した装置であればどのような装置であってもよい。
【００３２】
サービスサーバ８００Ａは、現在の日時から、所定期間（たとえば、２４時間）前の日時までの期間における、全てのチャンネルの全ての番組を録画し、番組を録画した録画データを記憶している。なお、サービスサーバ８００Ａは、現在の日時から、所定期間（たとえば、２４時間）経過後の録画データを自動的に削除する。したがって、サービスサーバ８００Ａには、現在の日時から、所定期間前の日時までの期間における、全てのチャンネルの全ての番組の録画データが記憶されている。また、サービスサーバ８００Ａは、放送される番組の録画データとは別に、装置からの配信要求に応じて配信する、映画などの映像コンテンツを記憶している。なお、サービスサーバ８００Ａは、録画データの配信要求があれば、録画データの配信要求を行なった装置へ、配信要求された録画データを、送信またはストリーミング配信する。
【００３３】
また、サービスサーバ８００Ａは、現在、放送中の番組およびこれから放送予定の動画像データを所定期間（たとえば、２４時間）分予め記憶している。そして、現在、放送中の番組の動画像データの配信要求があれば、動画像データの配信要求を行なった装置へ、配信要求された動画像データをストリーミング配信する。
【００３４】
また、サービスサーバ８００Ａは、ストリーミング配信やビデオオンデマンドのための専用コンテンツを記憶しており、配信要求された装置へ、配信要求された動画像データをストリーミング配信あるいはダウンロード配信する。
【００３５】
また、サービスサーバ８００Ａは、配信要求したユーザや装置に対して、配信可否を判断する認証機能をもつ。
【００３６】
検索サーバ８００Ｓは、ネットワーク７０に接続された端末装置から、検索情報としてのキーワードを受信すると、受信したキーワードに関連する情報のＷｅｂページのＵＲＬ（Uniform Resource Locator）を検索するサーバである。検索サーバ８００Ｓは、ＰＣである。なお、検索サーバ８００Ｓは、ＰＣに限定されることなく、ネットワーク７０に接続された端末装置からキーワードを受信した場合、受信したキーワードに関連する情報のＷｅｂページのＵＲＬ（Uniform Resource Locator）を検索する機能を有する装置であればどのような装置であってもよい。
【００３７】
Ｗｅｂサーバ８００Ｗは、複数種類の情報の各々に対応する複数のＷｅｂページのデータを提供するサーバである。Ｗｅｂサーバ８００Ｗは、たとえば、映画に関連する情報に対応する複数のＷｅｂページのデータを提供する。Ｗｅｂサーバ８００Ｗは、ＰＣである。なお、Ｗｅｂサーバ８００Ｗは、ＰＣに限定されることなく、複数種類の情報の各々に対応する複数のＷｅｂページのデータを提供する機能を有する装置であればどのような装置であってもよい。
【００３８】
サービスサーバ８００Ａ、検索サーバ８００ＳおよびＷｅｂサーバ８００Ｗの各々は、ネットワーク７０と、無線または有線でデータ通信を行なう。
【００３９】
本実施の形態では、通信部５０は、通信端末装置５００、映像表示装置６００およびネットワーク７０の各々と、高速にデータ通信が可能であるとする。通信部５０は、通信端末装置５００、映像表示装置６００およびネットワーク７０の各々と、たとえば、最大で１００Ｍｂｐｓの速度でデータ通信が可能であるとする。
【００４０】
また、ネットワーク７０は、通信部５０、電話網６０、サービスサーバ８００Ａ、検索サーバ８００ＳおよびＷｅｂサーバ８００Ｗの各々と、高速にデータ通信が可能であるとする。ネットワーク７０は、通信部５０、電話網６０、サービスサーバ８００Ａ、検索サーバ８００ＳおよびＷｅｂサーバ８００Ｗの各々と、たとえば、最大で１００Ｍｂｐｓの速度でデータ通信が可能であるとする。したがって、たとえば、映像表示装置６００とネットワーク７０とのデータ通信の最大速度は１００Ｍｂｐｓであるとする。また、たとえば、通信端末装置５００とネットワーク７０とのデータ通信の最大速度は１００Ｍｂｐｓであるとする。
【００４１】
なお、通信端末装置５００と電話網６０とのデータ通信の速度は、通信端末装置５００とネットワーク７０とのデータ通信の速度よりも遅いとする。通信端末装置５００と電話網６０とのデータ通信の最大速度は、たとえば、２５６ｋｂｐｓであるとする。
【００４２】
また、通信端末装置５００と映像表示装置６００とのデータ通信の速度は、通信端末装置５００と電話網６０とのデータ通信の速度よりも、十分に速いとする。通信端末装置５００と映像表示装置６００とのデータ通信の最大速度は、たとえば、４Ｍｂｐｓであるとする。
【００４３】
次に、通信端末装置５００について詳細に説明する。
図２は、通信端末装置５００の外観を正面から示した図である。図２を参照して、通信端末装置５００は、表示部５３０と、音声出力部５７０と、ＬＥＤ５７６と、入力部５４０とを備える。
【００４４】
表示部５３０は、文字や画像等を表示する機能を有する。表示部５３０は、ＬＣＤパネル（Liquid Crystal Display Panel）および有機ＥＬディスプレイパネル（Organic Electro luminescence Display Panel）のいずれかを使用した装置である。なお、表示部５３０は、上記以外の表示方式のパネルを使用した装置であってもよい。
【００４５】
表示部５３０の解像度は、横４８０（ドット）×縦６４０（ドット）である。なお、表示部５３０の解像度は、横４８０（ドット）×縦６４０（ドット）に限定されることなく、他の解像度（たとえば、横２４０（ドット）×縦３２０（ドット））であってもよい。
【００４６】
また、表示部５３０は、ユーザが、画面に直接触れることで、情報入力可能なタッチパネル機能を有する。表示部５３０は、ユーザが画面にタッチした位置情報を、後述する制御部５１０へ送信する。制御部５１０は、受信した位置情報に基づいて、所定の処理を行なう。
【００４７】
音声出力部５７０は、電話の音声を出力する機能を有する。音声出力部５７０には、音声を出力するスピーカが含まれる。音声出力部５７０は、後述する制御部５１０から受信した音声データに基づく音声をスピーカから出力する。
【００４８】
ＬＥＤ５７６は、通信端末装置５００で行なわれる処理に応じて、光による報知を行なう。たとえば、ＬＥＤ５７６は、電話の着信があった場合、光を点滅させる。
【００４９】
入力部５４０は、ボタン群５４１を含む。ボタン群５４１は、方向ボタン５４１Ａ，５４１Ｂ，５４１Ｃ，５４１Ｄと、決定ボタン５４１Ｅとを含む。方向ボタン５４１Ａ，５４１Ｂ，５４１Ｃ，５４１Ｄは、ユーザによる短時間（たとえば、１秒未満）の押下操作（以下、短押操作ともいう）により、表示部５３０に画像が表示されている場合、画像内の移動させる対象となる物（たとえば、カーソル等）を上下左右に移動させるためのボタンである。具体的には、短押操作があった、方向ボタン５４１Ａ，５４１Ｂ，５４１Ｃ，５４１Ｄは、たとえば、カーソルを、それぞれ、上，下，左，右に移動させるためのボタンである。
【００５０】
決定ボタン５４１Ｅは、短押操作により、たとえば、方向ボタン５４１Ａ，５４１Ｂ，５４１Ｃ，５４１Ｄの短押操作により選択された項目等を決定するためのボタンである。
【００５１】
入力部５４０は、さらに、機能ボタン５４２Ａ，５４２Ｂ，５４３Ａ，５４３Ｂを含む。機能ボタン５４２Ａ，５４２Ｂの各々は、短押操作により、たとえば、ユーザにより予め設定されたプログラム等を起動させるためのボタンである。
【００５２】
機能ボタン５４３Ａは、通信端末装置５００に電話がかかってきた場合、短押操作により通話開始を行なうためのボタンである。機能ボタン５４３Ｂは、通信端末装置５００が通話中である場合、短押操作により通話を終了させるためのボタンである。また、機能ボタン５４３Ｂは、ユーザによる長時間（たとえば、１秒以上）の押下操作（以下、長押操作ともいう）により、通信端末装置５００の電源のオンとオフとの切替えを行なうためのボタンである。
【００５３】
入力部５４０は、入力部５４０に含まれる複数のボタンのうち、短押操作または長押操作されたボタンに対応するボタン信号を、後述する制御部５１０へ送信する。すなわち、入力部５４０は、ユーザが通信端末装置５００を操作するためのインターフェースである。以下においては、ユーザによる、入力部５４０の操作または表示部５３０に対するタッチ操作を、インターフェース操作Ｍともいう。
【００５４】
通信端末装置５００は、さらに、音声入力部５７４を備える。音声入力部５７４は、通話のときに、音声を入力する機能を有する。音声入力部５７４には、音声を入力するマイクが含まれる。音声入力部５７４は、マイクにより取得した音声を音声データに変換して、音声データを、通信端末装置５００内の後述する制御部５１０へ送信する。
【００５５】
図３は、通信端末装置５００の外観を左側面から示した図である。図３を参照して、通信端末装置５００は、記録媒体挿入部５５０Ａを備える。記録媒体挿入部５５０Ａは、通信端末装置５００に後述する記録媒体を挿入する部分である。
【００５６】
図４は、通信端末装置５００の外観を背面から示した図である。図４を参照して、通信端末装置５００は、さらに、音声出力部５７２と、撮像部５７８とを備える。音声出力部５７２は、後述する制御部５１０で行なわれる処理に対応した音声を出力する機能を有する。音声出力部５７２には、音声を出力するスピーカが含まれる。音声出力部５７２は、後述する制御部５１０から受信した音声データに基づく音声をスピーカから出力する。
【００５７】
撮像部５７８は、撮像対象となる被写体を撮像する撮像処理を行なう機能を有する。撮像部５７８は、図示しない、撮像レンズ、受光部およびカラーフィルタ部とを含む。受光部は、入力された光を電気信号に変換する機能を有する。受光部は、複数の受光素子から構成される。受光素子は、たとえば、ＣＣＤ（Charge Coupled Device）イメージセンサまたはＣＭＯＳ（Complementary Metal Oxide Semiconductor）イメージセンサ等を使用した素子である。
【００５８】
カラーフィルタ部は、複数のカラーフィルタから構成される。カラーフィルタは、Ｒ、Ｇ、Ｂの各々に対応したフィルタである。複数のカラーフィルタは、複数の受光素子にそれぞれ対応して設けられる。
【００５９】
撮像処理では以下の処理が行なわれる。まず、撮像部５７８が、撮像対象となる被写体に反射されて撮像レンズに入射した光を、カラーフィルタ部を介して、受光部に入力させる。受光部は入力された光を電気信号に変換する。そして、撮像部５７８は、変換した電気信号をデジタルデータ（以下、撮像画像データともいう）に変換する。
【００６０】
図５は、通信端末装置５００の内部構成を示したブロック図である。なお、図５には、説明のために、記録媒体５５５も示している。記録媒体５５５には、後述するプログラム１８０が記録されている。すなわち、プログラム１８０は、媒体等に記録されてプログラム製品として流通される。また、記録媒体５５５もプログラム製品として流通される。
【００６１】
図５を参照して、通信端末装置５００は、さらに、制御部５１０と、一時記憶部５２２と、記憶部５２０とを備える。
【００６２】
記憶部５２０は、データを不揮発的に記憶する機能を有する。記憶部５２０は、制御部５１０によってデータアクセスされる。記憶部５２０は、電源を供給されなくてもデータを不揮発的に保持可能な媒体（たとえば、フラッシュメモリ）である。記憶部５２０には、プログラム１８０、後述する録画データ、その他の各種データ等が記憶されている。プログラム１８０は、後述する、リモコンプログラムを含む。
【００６３】
制御部５１０は、記憶部５２０に記憶されたプログラム１８０に従って、通信端末装置５００内の各部に対する各種処理や、演算処理等を行なう機能を有する。制御部５１０は、マイクロプロセッサ（Microprocessor）、ＦＰＧＡ（Field Programmable Gate Array）、ＡＳＩＣ（Application Specific Integrated Circuit）およびその他の演算機能を有する回路のいずれであってもよい。
【００６４】
一時記憶部５２２は、制御部５１０によってデータアクセスされ、一時的にデータを記憶するワークメモリとして使用される。一時記憶部５２２は、ＲＡＭ（Random Access Memory）、ＳＲＡＭ（Static Random Access Memory）、ＤＲＡＭ（Dynamic Random Access Memory）、ＳＤＲＡＭ（Synchronous DRAM）、ＤＤＲ−ＳＤＲＡＭ（Double Data Rate SDRAM）、ＲＤＲＡＭ（Rambus Dynamic Random Access Memory（登録商標））、Ｄｉｒｅｃｔ−ＲＤＲＡＭ（Direct Rambus Dynamic Random Access Memory（登録商標））、その他、データを揮発的に記憶保持可能な構成を有する回路のいずれであってもよい。
【００６５】
通信端末装置５００は、さらに、アンテナ５０２と、チューナ５０５と、データ処理部５０７とを備える。
【００６６】
アンテナ５０２は、チューナ５０５と接続されている。チューナ５０５は、制御部５１０により指示された周波数の放送信号を、アンテナ５０２を介して受信する。チューナ５０５は、ディジタル放送およびアナログ放送に基づく放送信号を受信する機能を有する。
【００６７】
放送信号は、画像データ、音声データ、テキストデータ、ＥＰＧ（Electric Program Guide）データを含む。なお、放送信号が、ディジタル放送に基づく信号である場合、放送信号は、さらに、ＢＭＬ（Broadcast Markup Language）データ等が含まれる。ＥＰＧデータは、複数の番組情報を示すデータである。ＢＭＬデータは、画像データ、音声データおよびテキストデータの各々の配置位置や、動作などの制御を行なうためのデータである。チューナ５０５は、受信した放送信号を、データ処理部５０７へ送信する。
【００６８】
データ処理部５０７は、受信した放送信号を復調し、復調データとする。受信した放送信号が、アナログ放送に基づく信号である場合、データ処理部５０７は、以下の処理を行なう。まず、データ処理部５０７は、復調データを、デコード処理し、画像データ、音声データを得るとともに、放送信号の垂直帰線区間（ＶＢＩ：Vertical Blanking Interval）から、テキストデータ、ＥＰＧデータを得る。
【００６９】
そして、データ処理部５０７は、制御部５１０から、表示部５３０に画像を表示させるための表示指示を受信すると、画像データを、後述するＶＤＰ（Video Display Processor）５３２へ送信する。ＶＤＰ５３２は、画像データを受信すると、表示部５３０に画像データに基づく画像（動画像または静止画像）を表示させる。
【００７０】
また、データ処理部５０７は、制御部５１０から、録画処理を行なうための録画指示を受信すると、画像データおよび音声データを圧縮して、録画データとして、記憶部５２０に記憶させる。この場合の録画データを、以下においては、コンテンツともいう。録画データは、ＭＰＥＧ（Moving Picture Experts Group）４形式で圧縮されたデータである。なお、録画データは、ＭＰＥＧ４形式で圧縮されたデータに限定されることなく、他の形式で圧縮されたデータであってもよい。ここで、他の形式とは、たとえば、ＭＰＥＧ１、ＭＰＥＧ２、Ｈ．２６４等の形式である。
【００７１】
また、受信した放送信号が、ディジタル放送に基づく信号である場合、データ処理部５０７は、以下の処理を行なう。まず、データ処理部５０７は、復調データを、ディジタル放送の規格に基づいてデコード処理し、デコードデータにする。デコードデータには、画像データ、音声データ、テキストデータ、ＥＰＧデータ、ＢＭＬデータが含まれる。デコードデータに含まれる、画像データおよび音声データは、ＭＰＥＧ４形式で圧縮されたデータである。なお、デコードデータに含まれる、画像データおよび音声データは、ＭＰＥＧ４形式で圧縮されたデータに限定されることなく、他の形式で圧縮されたデータであってもよい。ここで、他の形式とは、たとえば、ＭＰＥＧ１、ＭＰＥＧ２、Ｈ．２６４等の形式である。
【００７２】
そして、データ処理部５０７は、制御部５１０から、表示部５３０に画像を表示させるための表示指示を受信すると、表示指示により指定されたチャンネルのデコードデータに含まれる画像データを、後述するＶＤＰ５３２へ送信する。ＶＤＰ５３２は、画像データを受信すると、表示部５３０に画像データに基づく画像（動画像または静止画像）を表示させる。
【００７３】
また、データ処理部５０７は、制御部５１０から、録画処理を行なうための録画指示を受信すると、録画指示により指定されたチャンネルのデコードデータを、録画データとして、記憶部５２０に記憶させる。この場合の録画データを、以下においては、コンテンツともいう。この場合、録画データには、画像データ、音声データ、テキストデータおよびＢＭＬデータが含まれる。
【００７４】
通信端末装置５００は、さらに、ＶＤＰ５３２と、ＶＲＡＭ（Video Random Access Memory）５３６とを備える。
【００７５】
ＶＲＡＭ５３６は、画像データを一時的に記憶する機能を有する。
制御部５１０は、記憶部５２０に記憶されたプログラム１８０に従って、ＶＤＰ５３２に対し、描画指示を出す。描画指示とは、画像を生成し、当該画像を表示部５３０に表示させる指示である。
【００７６】
ＶＤＰ５３２は表示部５３０と接続されている。ＶＤＰ５３２は、制御部５１０からの描画指示に応じて、記憶部５２０内の後述するプログラム１８０からフォントデータ、図形データ等を読出し、ＶＲＡＭ５３６を利用して画像を生成する。そして、ＶＤＰ５３２は、ＶＲＡＭ５３６に記憶された画像データを読出し、表示部５３０に、当該画像データに基づく画像を表示させる。
【００７７】
通信端末装置５００は、さらに、入力部５４０と、記録媒体アクセス部５５０を備える。
【００７８】
制御部５１０は、入力部５４０に含まれる、前述した複数のボタンのうち、短押操作または長押操作があったボタンに対応するボタン信号を、入力部５４０から受信する。制御部５１０は、受信したボタン信号に応じた処理を行なう。
【００７９】
記録媒体アクセス部５５０は、記録媒体５５５が前述の記録媒体挿入部５５０Ａから通信端末装置５００に挿入（装着）されると、記録媒体５５５にデータアクセス可能となる。これにより、記録媒体アクセス部５５０は、プログラム１８０が記録された記録媒体５５５から、プログラム１８０を読出すことが可能となる。
【００８０】
記録媒体５５５に記憶されているプログラム１８０は、制御部５１０のインストール処理により、記録媒体アクセス部５５０により読出され、制御部５１０が、プログラム１８０を、記憶部５２０に記憶させる。このインストール処理用プログラムは、予め、記憶部５２０に格納されており、インストール処理は、制御部５１０が、インストール処理用プログラムに基づいて行なう。
【００８１】
なお、記憶部５２０には、プログラム１８０がインストールされていなくてもよい。この場合、制御部５１０は、記録媒体アクセス部５５０を介して、記録媒体５５５に記憶されたプログラム１８０を読出して、プログラム１８０に基づいた所定の処理を行なう。記録媒体５５５には、さらに、コンテンツデータ等も記録されている。コンテンツデータは、たとえば、音楽データ、動画像データ等である。
【００８２】
記録媒体５５５は、フロッピー（登録商標）ディスク、ＣＦ(Compact Flash（登録商標）) カード、ＳＭ（Smart Media（登録商標））、ＭＭＣ（Multi Media Card（登録商標））、ＳＤ（Secure Digital（登録商標））メモリーカード、メモリースティック（登録商標）、ｘＤピクチャーカード（登録商標）および上記以外の不揮発性メモリのいずれであってもよい。
【００８３】
通信端末装置５００は、さらに、通信部５６０と、通信部５６２とを備える。
通信部５６０は、制御部５１０とデータの送受信を行なう。また、通信部５６０は、映像表示装置６００と有線または無線で、データの送受信を行なう機能を有する。
【００８４】
通信部５６０は、ＵＳＢ（Universal Serial Bus）１．１またはＵＳＢ２．０の規格に基づく、シリアル転送を行なう通信用インターフェースの機能を有する。なお、シリアル転送を行なう通信用インターフェースの規格は、ＵＳＢ１．１またはＵＳＢ２．０に限定されることなく他の規格であってもよい。
【００８５】
なお、通信部５６０は、パラレル転送を行なう通信用インターフェースの機能を有していてもよい。パラレル転送を行なう通信用インターフェースは、たとえば、セントロニクス（登録商標）準拠の規格またはＩＥＥＥ１２８４（Institute of Electrical and Electronic Engineers 1284）の規格に準拠したインターフェースである。また、通信部５６０は、ＩＥＥＥ１３９４またはＳＣＳＩ規格に基づく通信用インターフェースの機能を有していてもよい。
【００８６】
また、通信部５６０は、さらに、無線データ通信機能を有する。無線データ通信機能は、ブルートゥース（Bluetooth（登録商標））を使用して、無線でデータ通信を行なう機能を有する。なお、無線データ通信は、ブルートゥース（登録商標）を使用した方式に限定されることなく、たとえば、赤外線等を使用した他の通信方式であってもよい。通信部５６０は、制御部５１０からの制御指示に応じて、映像表示装置６００と無線でデータ通信を行なう。
【００８７】
通信部５６２は、制御部５１０と、データの送受信を行なう。通信部５６２は、無線ＬＡＮの規格である、ＩＥＥＥ８０２．１１ａ、ＩＥＥＥ８０２．１１ｂおよびＩＥＥＥ８０２．１１ｇのいずれかに基づく無線技術を利用してデータ通信を行なう機能を有する。なお、無線技術は、ＩＥＥＥ８０２．１１ａ、ＩＥＥＥ８０２．１１ｂおよびＩＥＥＥ８０２．１１ｇのいずれかに基づく技術に限定されることはなく、その他の無線技術であってもよい。したがって、通信部５６２は、無線により、通信部５０とデータ通信を行なうことができ、通信部５０を介して、たとえば、映像表示装置６００に対して録画データの送信要求を行ない、送信された録画データを受信してストリーミング再生を行なうことができる。
【００８８】
また、通信部５６２は、さらに、イーサネット（登録商標）を利用した通信用インターフェースの機能を有する。したがって、通信部５６２は、たとえば、ＬＡＮケーブルを介して、通信部５０とデータ通信を行なうことができる。
【００８９】
したがって、本実施の形態における通信端末装置５００は、ネットワーク７０から、通信部５０および通信部５６２を介して、プログラムのダウンロード処理を行ない、記憶部５２０に格納することもできる。この場合、当該ダウンロードしたプログラムは、プログラム１８０である。
【００９０】
制御部５１０は、ネットワーク７０からダウンロードしたプログラム（プログラム１８０）に従って、所定の処理を行なう。このダウンロード用プログラムは、予め、記憶部５２０に格納されており、ダウンロード処理は、制御部５１０が、ダウンロード用プログラムに基づいて行なう。
【００９１】
通信端末装置５００は、さらに、アンテナ５６４と、通信部５６６とを備える。
アンテナ５６４は、通信部５６６と接続されている。通信部５６６は、アンテナ５６４を利用して、無線通信信号を送受信する機能を有する。通信部５６６は、制御部５１０により指示された周波数の無線通信信号を、アンテナ５６４を介して受信する。無線通信信号は、音声データ、文字データおよび画像データ等を含む信号である。
【００９２】
通信部５６６は、アンテナ５６４を利用して、無線通信信号により、図示しない最寄の基地局と通信を行なう。最寄の基地局は、電話網６０と通信を行なうことができる。したがって、通信部５６６は、アンテナ５６４を利用して、無線通信信号により、最寄の基地局を介して、電話網６０と通信を行なう。通信部５６６は、無線通信信号を受信した場合、当該無線通信信号を復調し、復調した無線通信信号に基づくデータを、制御部５１０へ送信する。また、通信部５６６は、無線通信信号を送信する場合、制御部５１０からデータ（たとえば、音声データ）を受信し、当該データを、所定のプロトコルに基づいて、無線通信信号に変換する。そして、通信部５６６は、アンテナ５６４を利用して、変換した無線通信信号を、図示しない最寄の基地局を介して、電話網６０へ送信する。
【００９３】
通信部５６６は、最寄の基地局と通信を行なうことで、基地局の位置を示す情報（以下、基地局位置情報ともいう）も取得可能である。通信部５６６は、制御部５１０からの制御指示に応じて、取得した基地局位置情報を、制御部５１０へ送信する。制御部５１０は、受信した基地局位置情報に基づいて、通信端末装置５００の位置を大まかに把握することができる。
【００９４】
また、通信部５６６は、ＧＰＳ（Global Positioning System）機能を有する。ＧＰＳ機能とは、人口衛星と通信して、通信端末装置５００の位置（緯度、経度、高度等に基づく位置）の情報（以下、ＧＰＳ位置情報ともいう）を取得する機能である。通信部５６６は、制御部５１０からの制御指示に応じて、ＧＰＳ位置情報を取得し、制御部５１０へ送信する。
【００９５】
制御部５１０は、前述した音声出力部５７０，５７２、音声入力部５７４とデータ通信する。
【００９６】
制御部５１０が、音声データを音声出力部５７０へ送信すると、音声出力部５７０は、制御部５１０から受信した音声データに基づく音声をスピーカから出力する。制御部５１０が、音声データを音声出力部５７２へ送信すると、音声出力部５７２は、制御部５１０から受信した音声データに基づく音声をスピーカから出力する。
【００９７】
ユーザが音声入力部５７４に含まれるマイクに対して音声を発すると、音声入力部５７４は、マイクにより取得した音声を音声データに変換して、音声データを、制御部５１０へ送信する。
【００９８】
制御部５１０は、前述したＬＥＤ５７６、撮像部５７８とデータ通信する。ＬＥＤ５７６は、制御部５１０からの制御指示に基づいて、光を発する。
【００９９】
撮像部５７８は、制御部５１０からの制御指示に基づいて、前述の撮像処理を行ない、撮像画像データを制御部５１０へ送信する。制御部５１０は、撮像画像データを受信すると、撮像画像データを、一時記憶部５２２、記憶部５２０および記録媒体５５５のいずれかに記憶させる。
【０１００】
通信端末装置５００は、さらに、振動部５７９を備える。振動部５７９は、制御部５１０からの制御指示に基づいて、通信端末装置５００を振動させる機能を有する。振動部５７９は、たとえば、電話の着信、電子メールの受信時に、制御部５１０からの制御指示に基づいて、通信端末装置５００を振動させる。
【０１０１】
通信端末装置５００は、さらに、ＲＦＩＤ５８０を備える。ＲＦＩＤ５８０は、たとえば、Felica(登録商標)などのセキュリティ機能をもったＲＦＩＤ（Radio Frequency Identification）に基づく集積回路で、非接触で図示しない読み取り端末と通信を行なう。また、ＲＦＩＤ５８０は、制御部５１０からの制御指示に基づいて、端末ＩＤなどのデータを出力する。
【０１０２】
次に、映像表示装置６００について詳細に説明する。
図６は、映像表示装置６００の外観を正面から示した図である。図６を参照して、映像表示装置６００は、表示部６３０と、音声出力部６７０とを備える。
【０１０３】
表示部６３０は、文字や画像等を表示する機能を有する。表示部６３０は、ＬＣＤパネル、ＣＲＴ（Cathode Ray Tube）、ＦＥＤパネル（Field Emission Display Panel）、ＰＤＰ（Plasma Display Panel）および有機ＥＬディスプレイパネルのいずれかを使用した装置である。なお、表示部６３０は、上記以外の表示方式のパネルを使用した装置であってもよい。表示部６３０の解像度は、表示部５３０の解像度より大きい。たとえば、表示部６３０の解像度は、ＰＣの画像が表示できる横１３６６（ドット）×縦７６８（ドット）の解像度である。なお、表示部６３０の解像度は、横１３６６（ドット）×縦７６８（ドット）に限定されることなく、他の解像度（たとえば、１０２４×７６８）であってもよい。表示部６３０の映像を表示する部分のアスペクト比は１６：９である。なお、アスペクト比は１６：９に限定されることなく、４：３であってもよい。
【０１０４】
音声出力部６７０は、後述する制御部６１０で行なわれる処理に対応した音声を出力する機能を有する。音声出力部６７０には、音声を出力するスピーカが含まれる。音声出力部６７０は、後述する制御部６１０から受信した音声データに基づく音声をスピーカから出力する。
【０１０５】
図７は、映像表示装置６００の内部構成を示したブロック図である。なお、図７には、説明のために、記録媒体５５５Ａも示している。記録媒体５５５Ａには、後述するプログラム１８０Ａが記録されている。すなわち、プログラム１８０Ａは、媒体等に記録されてプログラム製品として流通される。また、記録媒体５５５Ａもプログラム製品として流通される。
【０１０６】
図７を参照して、映像表示装置６００は、さらに、制御部６１０と、一時記憶部６２２と、記憶部６２０とを備える。
【０１０７】
記憶部６２０は、データを不揮発的に記憶する機能を有する。記憶部６２０は、制御部６１０によってデータアクセスされる。記憶部６２０は、大容量のデータを記憶可能なハードディスクである。なお、記憶部６２０は、ハードディスクに限定されることなく、電源を供給されなくてもデータを不揮発的に保持可能な媒体（たとえば、フラッシュメモリ）であればよい。記憶部６２０には、プログラム１８０Ａ、後述する録画データ、映像表示装置６００を識別するための装置ＩＤやその他の各種データ等が記憶されている。
【０１０８】
制御部６１０は、記憶部６２０に記憶されたプログラム１８０Ａに従って、映像表示装置６００内の各部に対する各種処理や、演算処理等を行なう機能を有する。制御部６１０は、前述の制御部５１０と同様なものであるので詳細な説明は繰り返さない。
【０１０９】
一時記憶部６２２は、制御部６１０によってデータアクセスされ、一時的にデータを記憶するワークメモリとして使用される。一時記憶部６２２は、前述の一時記憶部５２２と同様なものであるので詳細な説明は繰り返さない。
【０１１０】
映像表示装置６００は、さらに、アンテナ６０２と、チューナ６０５と、データ処理部６０７とを備える。
【０１１１】
アンテナ６０２は、チューナ６０５と接続されている。チューナ６０５は、制御部６１０により指示された周波数の放送信号を、アンテナ６０２を介して受信する。チューナ６０５は、ディジタル放送およびアナログ放送に基づく放送信号を受信する機能を有する。
【０１１２】
放送信号は、画像データ、音声データ、テキストデータ、ＥＰＧデータを含む。なお、放送信号が、ディジタル放送に基づく信号である場合、放送信号は、さらに、前述したＢＭＬデータ等が含まれる。チューナ６０５は、受信した放送信号を、データ処理部６０７へ送信する。
【０１１３】
データ処理部６０７は、受信した放送信号を復調し、復調データとする。受信した放送信号が、アナログ放送に基づく信号である場合、データ処理部６０７は、以下の処理を行なう。まず、データ処理部６０７は、復調データを、デコード処理し、画像データおよび音声データを取得するとともに、放送信号の垂直帰線区間から、テキストデータ、ＥＰＧデータを取得する。
【０１１４】
そして、データ処理部６０７は、制御部６１０から、表示部６３０に画像を表示させるための表示指示を受信すると、画像データを、後述するＶＤＰ６３２へ送信する。ＶＤＰ６３２は、画像データを受信すると、表示部６３０に画像データに基づく画像（動画像または静止画像）を表示させる。
【０１１５】
また、データ処理部６０７は、制御部６１０から、録画処理を行なうための録画指示を受信すると、画像データおよび音声データを圧縮して、録画データとして、記憶部６２０に記憶させる。録画データは、ＭＰＥＧ２形式で圧縮されたデータである。なお、録画データは、ＭＰＥＧ２形式で圧縮されたデータに限定されることなく、他の形式で圧縮されたデータであってもよい。ここで、他の形式とは、たとえば、ＭＰＥＧ１、Ｈ．２６４等の形式である。
【０１１６】
また、受信した放送信号が、ディジタル放送に基づく信号である場合、データ処理部６０７は、以下の処理を行なう。まず、データ処理部６０７は、復調データを、ディジタル放送の規格に基づいてデコード処理し、デコードデータにする。デコードデータには、画像データ、音声データ、テキストデータ、ＥＰＧデータ、ＢＭＬデータが含まれる。デコードデータに含まれる、画像データおよび音声データは、ＭＰＥＧ２形式で圧縮されたデータである。なお、デコードデータに含まれる、画像データおよび音声データは、ＭＰＥＧ２形式で圧縮されたデータに限定されることなく、他の形式で圧縮されたデータであってもよい。ここで、他の形式とは、たとえば、ＭＰＥＧ１、Ｈ．２６４等の形式である。
【０１１７】
そして、データ処理部６０７は、制御部６１０から、表示部６３０に画像データを表示させるための表示指示を受信すると、表示指示により指定されたチャンネルのデコードデータに含まれる画像データを、後述するＶＤＰ６３２へ送信する。ＶＤＰ６３２は、画像データを受信すると、表示部６３０に画像データに基づく画像（動画像または静止画像）を表示させる。
【０１１８】
以下においては、チューナ６０５が受信した放送信号に基づく画像であって、かつ、表示部６３０に表示される画像を、ＴＶ画像ともいう。なお、映像表示装置６００を操作するための後述するリモコン３００に設けられる、“１”〜“１２”の数字ボタンの押下操作で、直接、選局可能なＴＶ画像のチャンネルの種類の数は、最大で１２個であるとする。当然のことながら、リモコン３００に設けられる数字ボタンの数が多ければ多いほど、直接、選局可能なＴＶ画像のチャンネルの種類の数は多くなる。
【０１１９】
リモコン３００の“１”〜“１２”の数字ボタンには、それぞれ、“１”〜“１２”のリモコンチャンネル番号が設定される。たとえば、“３”の数字ボタンには、リモコンチャンネル番号“３”が設定される。また、１つのリモコンチャンネル番号には、１つのＴＶ画像のチャンネルを登録可能である。たとえば、リモコンチャンネル番号“１”に対し、ＴＶ画像のチャンネル番号“８”が登録されているとする。この場合、リモコン３００の“１”の数字ボタンが、ユーザにより押下処理されることにより、リモコン３００から、チャンネル番号“８”のＴＶ画像を選局するためのリモコン信号が、映像表示装置６００へ送信される。
【０１２０】
なお、映像表示装置６００は、複数種類のＴＶ画像を同時に、表示部６３０に表示する機能を有する。また、映像表示装置６００は、ＴＶ画像と、他の種類の画像とを同時に、表示部６３０に表示する機能を有する。
【０１２１】
また、データ処理部６０７は、制御部６１０から、録画処理を行なうための録画指示を受信すると、録画指示により指定されたチャンネルのデコードデータを、録画データとして、記憶部６２０に記憶させる。この場合の録画データを、以下においては、コンテンツともいう。この場合、録画データには、画像データ、音声データ、テキストデータおよびＢＭＬデータが含まれる。
【０１２２】
映像表示装置６００は、さらに、ＶＤＰ６３２と、ＶＲＡＭ６３６とを備える。
ＶＲＡＭ６３６は、画像データを一時的に記憶する機能を有する。
【０１２３】
制御部６１０は、記憶部６２０に記憶されたプログラム１８０Ａに従って、ＶＤＰ６３２に対し、描画指示を出す。描画指示とは、画像を生成し、当該画像を表示部６３０に表示させる指示である。
【０１２４】
ＶＤＰ６３２は表示部６３０と接続されている。ＶＤＰ６３２は、制御部６１０からの描画指示に応じて、記憶部６２０内の後述するプログラム１８０Ａからフォントデータ、図形データ等を読出し、ＶＲＡＭ６３６を利用して画像を生成する。そして、ＶＤＰ６３２は、ＶＲＡＭ６３６に記憶された画像データを読出し、表示部６３０に、当該画像データに基づく画像を表示させる。
【０１２５】
映像表示装置６００は、さらに、入力部６４０と、記録媒体アクセス部６５０とを備える。
【０１２６】
入力部６４０は、図示されない複数のボタンを含む。複数のボタンは、映像表示装置６００の外部に設けられている。複数のボタンのうち、いずれかのボタンがユーザにより押下操作されると、入力部６４０は、押下操作されたボタンに対応するボタン信号を、制御部６１０へ送信する。制御部６１０は、受信したボタン信号に基づいて、所定の処理を行なう。以下においては、ユーザによる、入力部６４０のボタン操作を、インターフェース操作Ｔともいう。
【０１２７】
記録媒体アクセス部６５０は、プログラム１８０Ａが記録された記録媒体５５５Ａから、プログラム１８０Ａを読出す機能を有する。記録媒体５５５Ａに記憶されているプログラム１８０Ａは、制御部６１０のインストール処理により、記録媒体アクセス部６５０により読出され、制御部６１０が、プログラム１８０Ａを、記憶部６２０に記憶させる。このインストール処理用プログラムは、予め、記憶部６２０に格納されており、インストール処理は、制御部６１０が、インストール処理用プログラムに基づいて行なう。
【０１２８】
なお、記憶部６２０には、プログラム１８０Ａがインストールされていなくてもよい。この場合、制御部６１０は、記録媒体アクセス部６５０を介して、記録媒体５５５Ａに記憶されたプログラム１８０Ａを読み出して、プログラム１８０Ａに基づいた所定の処理を行なう。記録媒体５５５Ａには、さらに、コンテンツデータ等も記録されている。コンテンツデータは、たとえば、音楽データ、動画像データ等である。
【０１２９】
記録媒体５５５Ａは、ＢＤ（Blu-ray Disc）、ＨＤ−ＤＶＤ（High-Definition Digital Versatile Disc）、ＤＶＤ−ＲＯＭ（Digital Versatile Disk Read Only Memory）、ＤＶＤ−Ｒ（Digital Versatile Disk Recordable）、ＤＶＤ−ＲＡＭ（Digital Versatile Disk Random Access Memory）、ＤＶＤ＋ＲＷ（Digital Versatile Disk Re-Writable）、ＤＶＤ−ＲＷ、ＣＤ−ＲＯＭ（Compact Disk Read Only Memory）、ＭＯ（Magneto Optical Disk）、フロッピー（登録商標）ディスク、ＣＦカード（登録商標）、ＳＭ（Smart Media（登録商標））、ＭＭＣ（登録商標）、ＳＤメモリーカード（登録商標）、メモリースティック（登録商標）、ｘＤピクチャーカード（登録商標）、ＵＳＢメモリ、磁気テープおよび上記以外の不揮発性メモリのいずれであってもよい。
【０１３０】
映像表示装置６００は、さらに、通信部６６０と、通信部６６２とを備える。
通信部６６０は、制御部６１０とデータの送受信を行なう。また、通信部６６０は、通信端末装置５００と有線または無線で、データの送受信を行なう機能を有する。なお、通信部６６０は、前述の通信部５６０と同様な構成および機能を有するので詳細な説明は繰り返さない。
【０１３１】
通信部６６２は、制御部６１０と、データの送受信を行なう。通信部６６２は、前述の通信部５６２と同様な構成および機能を有するので詳細な説明は繰り返さない。したがって、通信部６６２は、無線により、通信部５０とデータ通信を行なうことができる。また、通信部６６２は、たとえば、ＬＡＮケーブルを介して、通信部５０とデータ通信を行なうことができる。したがって、通信部５０を介して、通信部６６２に対し、記憶部６２０に記憶されている録画データの送信要求があった場合は、録画データを要求した装置に対して送信、あるいはストリーミング配信する。
【０１３２】
したがって、本実施の形態における映像表示装置６００は、ネットワーク７０から、通信部５０および通信部６６２を介して、プログラムのダウンロード処理を行ない、記憶部６２０に格納することもできる。この場合、当該ダウンロードしたプログラムは、プログラム１８０Ａである。
【０１３３】
制御部６１０は、ネットワーク７０からダウンロードしたプログラム（プログラム１８０Ａ）に従って、所定の処理を行なう。このダウンロード用プログラムは、予め、記憶部６２０に格納されており、ダウンロード処理は、制御部６１０が、ダウンロード用プログラムに基づいて行なう。
【０１３４】
映像表示装置６００は、さらに、リモコン信号受信部６８０を備える。リモコン信号受信部６８０は、リモコン（リモートコントローラー）３００から出力される、映像表示装置６００を操作するためのリモコン信号を受信する機能を有する。リモコン信号受信部６８０は、受信したリモコン信号を制御部６１０へ送信する。制御部６１０は、受信したリモコン信号に応じて、対応する処理を行なう。なお、リモコン３００には、前述したように、ＴＶ画像を選局するための“１”〜“１２”の数字ボタンが設けられる。以下においては、ユーザによる、リモコン３００の操作も、インターフェース操作Ｔともいう。
【０１３５】
制御部６１０は、前述した音声出力部６７０とデータ通信する。制御部６１０が、音声データを音声出力部６７０へ送信すると、音声出力部６７０は、制御部６１０から受信した音声データに基づく音声をスピーカから出力する。
【０１３６】
図８は、サービスサーバ８００Ａの内部構成を示したブロック図である。図８を参照して、サービスサーバ８００Ａは、表示部８３０と、制御部８１０と、一時記憶部８２２と、記憶部８２０とを備える。
【０１３７】
表示部８３０は、文字や画像等を表示する機能を有する。表示部８３０は、前述の表示部６３０と同様なものであるので詳細な説明は繰り返さない。
【０１３８】
記憶部８２０は、データを不揮発的に記憶する機能を有する。記憶部８２０は、制御部８１０によってデータアクセスされる。記憶部８２０は、大容量のデータを記憶可能なハードディスクである。なお、記憶部８２０は、ハードディスクに限定されることなく、電源を供給されなくてもデータを不揮発的に保持可能な媒体（たとえば、フラッシュメモリ）であればよい。記憶部８２０には、プログラム１８０Ｂ、録画データ、コンテンツデータ、その他の各種データ等が記憶されている。
【０１３９】
制御部８１０は、記憶部８２０に記憶されたプログラム１８０Ｂに従って、サービスサーバ８００Ａ内の各部に対する各種処理や、演算処理等を行なう機能を有する。制御部８１０は、前述の制御部５１０と同様なものであるので詳細な説明は繰り返さない。
【０１４０】
一時記憶部８２２は、制御部８１０によってデータアクセスされ、一時的にデータを記憶するワークメモリとして使用される。一時記憶部８２２は、前述の一時記憶部５２２と同様なものであるので詳細な説明は繰り返さない。
【０１４１】
サービスサーバ８００Ａは、さらに、ＶＤＰ８３２と、ＶＲＡＭ８３６とを備える。
ＶＲＡＭ８３６は、画像データを一時的に記憶する機能を有する。
【０１４２】
制御部８１０は、記憶部８２０に記憶されたプログラム１８０Ｂに従って、ＶＤＰ８３２に対し、描画指示を出す。描画指示とは、画像を生成し、当該画像を表示部８３０に表示させる指示である。
【０１４３】
ＶＤＰ８３２は表示部８３０と接続されている。ＶＤＰ８３２は、制御部８１０からの描画指示に応じて、記憶部５２０内の後述するプログラム１８０からフォントデータ、図形データ等を読出し、ＶＲＡＭ８３６を利用して画像を生成する。そして、ＶＤＰ８３２は、ＶＲＡＭ８３６に記憶された画像データを読出し、表示部８３０に、当該画像データに基づく画像を表示させる。
【０１４４】
サービスサーバ８００Ａは、さらに、入力部８４０を備える。
入力部８４０には、マウス８４２と、キーボード８４４とが接続されている。ユーザは、マウス８４２またはキーボード８４４を利用して、サービスサーバ８００Ａに指示を与える。マウス８４２またはキーボード８４４からの入力指示は、入力部８４０を介して制御部８１０へ送信される。制御部８１０は、入力部８４０からの入力指示に基づいて所定の処理を行なう。
【０１４５】
サービスサーバ８００Ａは、さらに、通信部８６０と、通信部８６２とを備える。
通信部８６０は、制御部８１０とデータの送受信を行なう。また、通信部８６０は、図示しない他の装置と有線または無線で、データの送受信を行なう機能を有する。なお、通信部８６０は、前述の通信部５６０と同様な構成および機能を有するので詳細な説明は繰り返さない。
【０１４６】
通信部８６２は、制御部８１０と、データの送受信を行なう。通信部８６２は、前述の通信部５６２と同様な構成および機能を有するので詳細な説明は繰り返さない。したがって、通信部８６２は、無線により、ネットワーク７０とデータ通信を行なうことができる。また、通信部８６２は、たとえば、ＬＡＮケーブルを介して、ネットワーク７０とデータ通信を行なうことができる。
【０１４７】
なお、検索サーバ８００ＳおよびＷｅｂサーバ８００Ｗの各々も、前述したサービスサーバ８００Ａと同様な構成を有するので詳細な説明は繰り返さない。
【０１４８】
次に、通信端末装置５００を、映像表示装置６００を操作するためのリモコン（以下、表示装置リモコンともいう）として使用するための処理について説明する。インターフェース操作Ｍにより、制御部５１０がプログラム１８０のリモコンプログラムを実行すると、通信端末装置５００を、表示装置リモコンとして使用することが可能となる。この場合、表示部５３０には、以下のリモコン画像ＭＧ１００が表示される。
【０１４９】
図９は、一例としてのリモコン画像ＭＧ１００を示す図である。図９を参照して、リモコン画像ＭＧ１００には、ボタン画像ＭＢＧ１１０，ＭＢＧ１２０，ＭＢＧ１３０が配置される
ボタン画像ＭＢＧ１１０，ＭＢＧ１２０，ＭＢＧ１３０の各々は、インターフェース操作Ｍにより、押下処理されることで、制御部５１０が、後述の対応するリモコン信号を、通信部５６０を利用して、映像表示装置６００へ送信するためのボタン画像である。
【０１５０】
ボタン画像ＭＢＧ１１０は、インターフェース操作Ｍにより、押下処理されることで、電源リモコン信号を、映像表示装置６００へ送信するためのボタン画像である。電源リモコン信号は、映像表示装置６００の電源がオンである状態と、映像表示装置６００の電源がオフである状態とを切替えるためのリモコン信号である。
【０１５１】
ボタン画像ＭＢＧ１２０は、インターフェース操作Ｍにより、押下処理されることで、番組表表示リモコン信号を、映像表示装置６００へ送信するためのボタン画像である。番組表表示リモコン信号は、映像表示装置６００の表示部６３０に、後述する番組表画像を表示させるためのリモコン信号である。
【０１５２】
ボタン画像ＭＢＧ１３０は、インターフェース操作Ｍにより、押下処理されることで、メニュー表示リモコン信号を、映像表示装置６００へ送信するためのボタン画像である。メニュー表示リモコン信号は、映像表示装置６００の表示部６３０に、後述するメニュー画像を表示させるためのリモコン信号である。
【０１５３】
リモコン画像ＭＧ１００には、さらに、ボタン画像ＭＢＧ１４２，ＭＢＧ１４４，ＭＢＧ１５２，ＭＢＧ１５４が配置される。ボタン画像ＭＢＧ１４２，ＭＢＧ１４４，ＭＢＧ１５２，ＭＢＧ１５４の各々は、インターフェース操作Ｍにより、押下処理されることで、制御部５１０が、後述の対応するリモコン信号を、通信部５６０を利用して、映像表示装置６００へ送信するためのボタン画像である。
【０１５４】
ボタン画像ＭＢＧ１４２は、インターフェース操作Ｍにより、押下処理されることで、音量アップリモコン信号を、映像表示装置６００へ送信するためのボタン画像である。音量アップリモコン信号は、映像表示装置６００の音声出力部６７０から出力される音声を大きくさせるためのリモコン信号である。ボタン画像ＭＢＧ１４４は、インターフェース操作Ｍにより、押下処理されることで、音量ダウンリモコン信号を、映像表示装置６００へ送信するためのボタン画像である。音量ダウンリモコン信号は、映像表示装置６００の音声出力部６７０から出力される音声を小さくさせるためのリモコン信号である。
【０１５５】
ボタン画像ＭＢＧ１５２は、インターフェース操作Ｍにより、押下処理されることで、チャンネルプラスリモコン信号を、映像表示装置６００へ送信するためのボタン画像である。チャンネルプラスリモコン信号は、映像表示装置６００の表示部６３０にＴＶ画像が表示されている場合に、前述のリモコンチャンネル番号を１インクリメントさせるためのリモコン信号である。なお、リモコンチャンネル番号が“１２”の場合に、上記の１インクリメントされる処理が行なわれた場合、リモコンチャンネル番号は、“１”になる。
【０１５６】
ボタン画像ＭＢＧ１５４は、インターフェース操作Ｍにより、押下処理されることで、チャンネルマイナスリモコン信号を、映像表示装置６００へ送信するためのボタン画像である。チャンネルマイナスリモコン信号は、映像表示装置６００の表示部６３０にＴＶ画像が表示されている場合に、前述のリモコンチャンネル番号を１デクリメントさせるためのリモコン信号である。なお、リモコンチャンネル番号が“１”の場合に、上記の１デクリメントされる処理が行なわれた場合、リモコンチャンネル番号は、“１２”になる。
【０１５７】
リモコン画像ＭＧ１００には、さらに、ボタン画像ＭＢＧ１７０，ＭＢＧ１８０が配置される。ボタン画像ＭＢＧ１７０，ＭＢＧ１８０の各々は、インターフェース操作Ｍにより、押下処理されることで、制御部５１０が、後述の対応するリモコン信号を、通信部５６０を利用して、映像表示装置６００へ送信するためのボタン画像である。
【０１５８】
ボタン画像ＭＢＧ１７０は、インターフェース操作Ｍにより、押下処理されることで、設定画像表示リモコン信号を、映像表示装置６００へ送信するためのボタン画像である。設定画像表示リモコン信号は、映像表示装置６００の表示部６３０に、後述する設定画像を表示させるためのリモコン信号である。ボタン画像ＭＢＧ１８０は、インターフェース操作Ｍにより、押下処理されることで、詳細リモコン画像表示リモコン信号を、映像表示装置６００へ送信するためのボタン画像である。詳細リモコン画像表示リモコン信号は、映像表示装置６００の表示部６３０に、詳細リモコン画像を表示させるためのリモコン信号である。詳細リモコン画像とは、映像表示装置６００に対し頻繁に使用されるリモコン信号以外のリモコン信号を、映像表示装置６００へ送信するための画像である。
【０１５９】
以下においては、通信端末装置５００が、映像表示装置６００へリモコン信号を送信することで映像表示装置６００を操作可能な場合における、通信端末装置５００の動作モードを、リモコンモードともいう。
【０１６０】
次に、通信端末装置５００が、コンテンツ、サービス等を提供するサービスサーバ８００Ａが提供するＷｅｂサイト（以下、コンテンツサイトともいう）に登録する処理（以下、登録処理ともいう）について説明する。すなわち、コンテンツサイトのデータは、サービスサーバ８００Ａの記憶部８２０に記憶されている。ここで、コンテンツは、たとえば、映画等の動画像である。サービスは、たとえば、食事の割引が可能なクーポン券の配信である。また、サービスは、たとえば、コンテンツの配信である。
【０１６１】
通信端末装置５００は、コンテンツサイトに登録することで、コンテンツサイトから、所望のコンテンツをダウンロードできたり、コンテンツサイトから様々なサービスを享受することが可能となる。サービスサーバ８００Ａが提供するコンテンツサイトに登録することは、すなわち、サービスサーバ８００Ａに対し登録することになる。
【０１６２】
前述のプログラム１８０には、さらに、コンテンツサイトにアクセスするためのＷｅｂブラウザを表示部５３０に表示するためのＷｅｂブラウザプログラムが含まれる。以下の登録処理は、インターフェース操作Ｍにより、制御部５１０がプログラム１８０のＷｅｂブラウザプログラムを実行した状態で行なわれるとする。これにより、表示部５３０には、以下のＷｅｂブラウザ画像ＭＧ２００が表示されているとする。
【０１６３】
図１０は、一例としてのＷｅｂブラウザ画像ＭＧ２００を示す図である。図１０を参照して、Ｗｅｂブラウザ画像ＭＧ２００には、ＵＲＬ表示画像ＭＧ２１０と、Ｗｅｂページ画像ＭＧ２２０と、ボタン画像ＭＢＧ２８１とが配置される。
【０１６４】
ＵＲＬ表示画像ＭＧ２１０には、インターフェース操作Ｍにより、コンテンツサイトに登録するためのＷｅｂページのＵＲＬが入力されている。
【０１６５】
Ｗｅｂページ画像ＭＧ２２０は、サービスサーバ８００Ａの提供するコンテンツサイト内にあるＷｅｂページである。Ｗｅｂページ画像ＭＧ２２０は、コンテンツサイトに登録するためのＷｅｂページを表示した画像である。Ｗｅｂページ画像ＭＧ２２０には、インターフェース操作Ｍにより、コンテンツサイトの登録に必要な情報が入力されている。コンテンツサイトの登録に必要な情報は、たとえば、名前、メールアドレス、性別等の情報である。Ｗｅｂページ画像ＭＧ２２０には、ボタン画像ＭＢＧ２８５が配置されている。ボタン画像ＭＢＧ２８５は、インターフェース操作Ｍにより押下処理されることにより、コンテンツサイトに登録する処理を許可するためのボタン画像である。
【０１６６】
ボタン画像ＭＢＧ２８１は、インターフェース操作Ｍにより押下処理されることにより、Ｗｅｂブラウザ画像ＭＧ２００内に、現在、表示されているＷｅｂページ画像ＭＧ２２０の前に、Ｗｅｂブラウザ画像ＭＧ２００に表示されていたＷｅｂページ画像（以下、旧Ｗｅｂページ画像ともいう）が存在する場合、旧Ｗｅｂページ画像をＷｅｂブラウザ画像ＭＧ２００に表示させるためのボタン画像である。
【０１６７】
図１１は、登録処理のフローチャートである。図１１では、通信端末装置５００およびサービスサーバ８００Ａの各々において行なわれる処理を示す。
【０１６８】
通信端末装置５００では、まず、ステップＳ１１０の処理が行なわれる。
ステップＳ１１０では、制御部５１０が、登録許可操作があるか否かを判定する。登録許可操作とは、表示部５３０にＷｅｂブラウザ画像ＭＧ２００が表示されている状態で、インターフェース操作Ｍにより、ボタン画像ＭＢＧ２８５が押下処理される操作である。ステップＳ１１０において、ＹＥＳならば、ステップＳ１１２に進む。一方、ステップＳ１１０において、ＮＯならば、再度、ステップＳ１１０の処理が行なわれる。
【０１６９】
ステップＳ１１２では、制御部５１０が、登録情報を、サービスサーバ８００Ａへ送信する。登録情報には、たとえば、名前、メールアドレス、性別等の情報と登録する通信端末装置の情報が含まれる。その後、ステップＳ１１２の処理は終了する。
【０１７０】
サービスサーバ８００Ａでは、まず、ステップＳ１２０の処理が行なわれる。
ステップＳ１２０では、制御部８１０が、登録情報を受信したか否かを判定する。ステップＳ１２０において、ＹＥＳならば、ステップＳ１２２に進む。一方、ステップＳ１２０において、ＮＯならば、再度、ステップＳ１２０の処理が行なわれる。
【０１７１】
ステップＳ１２２では、制御部８１０が、ユーザ識別情報を、通信端末装置５００へ送信する。ユーザ識別情報は、通信端末装置５００を特定するための識別情報である。ユーザ識別情報は、たとえば、クッキーである。ステップＳ１２２の処理が終了すると、再度、ステップＳ１２０の処理が行なわれる。
【０１７２】
通信端末装置５００では、ステップＳ１１２の処理が終了すると、ステップＳ１１４に進む。
【０１７３】
ステップＳ１１４では、制御部５１０が、サービスサーバ８００Ａから送信されたユーザ識別情報を受信する。その後、ステップＳ１１６に進む。
【０１７４】
ステップＳ１１６では、制御部５１０が、受信したユーザ識別情報を、登録したコンテンツサイトのサイト名およびＵＲＬに対応づけて記憶部５２０に記憶させる。以上により、通信端末装置５００での処理は終了する。
【０１７５】
通信端末装置５００が、複数種類のコンテンツサイトに対し、前述した登録処理を行なうことで、記憶部５２０には、以下のユーザ識別情報登録データテーブルＤ１００が記憶される。
【０１７６】
図１２は、一例としてのユーザ識別情報登録データテーブルＤ１００を示す図である。図１２を参照して、ユーザ識別情報登録データテーブルＤ１００は、複数のユーザ識別情報登録データから構成される。「番号」とは、複数のユーザ識別情報登録データを管理するための番号である。「サイト名」とは、登録したコンテンツサイトのサイト名である。「ＵＲＬ」とは、登録したコンテンツサイトのＵＲＬである。「ユーザ識別情報」とは、登録したコンテンツサイトから受信したユーザ識別情報（たとえば、クッキー）である。
【０１７７】
次に、通信端末装置５００および映像表示装置６００が、登録済みのコンテンツサイトにアクセスする場合の処理（以下、コンテンツサイトアクセス処理ともいう）について説明する。コンテンツサイトアクセス処理は、映像表示装置６００が、ユーザ識別情報を有する通信端末装置５００に認証処理を代行してもらい、映像表示装置６００が、コンテンツサイトが提供するサービスを享受するための処理である。サービスとは、たとえば、コンテンツのストリーミング受信またはダウンロードである。
【０１７８】
また、コンテンツサイトアクセス処理は、通信端末装置５００がリモコンモードに設定されており、表示部５３０に、図９のリモコン画像ＭＧ１００が表示されている場合に行なわれる処理であるとする。ここで、ボタン画像ＭＢＧ１３０は、インターフェース操作Ｍにより、押下処理されることにより、予め、前述の登録処理により登録された、複数種類のコンテンツサイトのうち、図１２に示す、サイト名が「ＢＢサービス」であるコンテンツサイトにアクセスする処理を行なう設定が行なわれているとする。
【０１７９】
サイト名が「ＢＢサービス」であるコンテンツサイトは、サービスサーバ８００Ａが提供するコンテンツサイトであるとする。すなわち、サイト名が「ＢＢサービス」であるコンテンツサイトのデータは、サービスサーバ８００Ａの記憶部８２０に記憶されている。以下においては、アクセスの対象となるコンテンツサイトを、アクセス対象コンテンツサイトともいう。ここでは、アクセス対象コンテンツサイトは、一例として、サイト名が「ＢＢサービス」のコンテンツサイトであるとする。
【０１８０】
なお、アクセス対象コンテンツサイトは、対応するユーザ識別情報を受信することで、要求されたコンテンツの配信を許可するものとする。たとえば、アクセス対象コンテンツサイトが、サイト名が「ＢＢサービス」であるコンテンツサイトである場合、ユーザ識別情報として、図１２に示す「ｂｂｋｋ」という情報を受信することで、要求されたコンテンツの配信を許可する。
【０１８１】
図１３は、コンテンツサイトアクセス処理のフローチャートを示す図である。図１３では、通信端末装置５００、映像表示装置６００およびサービスサーバ８００Ａの各々において行なわれる処理を示す。
【０１８２】
通信端末装置５００では、まず、ステップＳ２１０の処理が行なわれる。
ステップＳ２１０では、制御部５１０が、サイトアクセス操作があるか否かを判定する。サイトアクセス操作とは、映像表示装置６００に、アクセス対象コンテンツサイトへアクセスさせるための操作である。サイトアクセス操作は、リモコン画像ＭＧ１００のボタン画像ＭＢＧ１３０を押下処理するためのインターフェース操作Ｍである。ステップＳ２１０において、ＹＥＳならば、ステップＳ２１１に進む。一方、ステップＳ２１０において、ＮＯならば、再度、ステップＳ２１０の処理が行なわれる。ここでは、サイトアクセス操作があったとして、ステップＳ２１１に進む。
【０１８３】
ステップＳ２１１では、アクセス指示が、映像表示装置６００へ送信される。アクセス指示は、映像表示装置６００に、アクセス対象コンテンツサイトへアクセスさせるための指示である。具体的には、制御部５１０が、アクセス指示としてのサイトアクセスリモコン信号を、映像表示装置６００へ送信する。その後、ステップＳ２１１の処理は終了する。
【０１８４】
映像表示装置６００では、まず、ステップＳ２２０の処理が行なわれる。
ステップＳ２２０では、制御部６１０が、アクセス指示としてのサイトアクセスリモコン信号を受信したか否かを判定する。ステップＳ２２０において、ＹＥＳならば、ステップＳ２２１に進む。一方、ステップＳ２２０において、ＮＯならば、再度、ステップＳ２２０の処理が行なわれる。
【０１８５】
ステップＳ２２１では、サイトアクセス処理が行なわれる。なお、映像表示装置６００では、アクセス指示としてのサイトアクセスリモコン信号を受信した場合、アクセスするアクセス対象コンテンツサイトが予め設定されているとする。ここでは、アクセス対象コンテンツサイトは、サイト名が「ＢＢサービス」のコンテンツサイトであるとする。この場合、アクセス対象コンテンツサイトは、サービスサーバ８００Ａが提供するコンテンツサイトである。
【０１８６】
サイトアクセス処理では、制御部６１０が、アクセス対象コンテンツサイトにアクセスする。そのため、映像表示装置６００は、アクセス対象コンテンツサイトを提供するサービスサーバ８００Ａにアクセスすることになる。
【０１８７】
サービスサーバ８００Ａでは、まず、ステップＳ２４０の処理が行なわれる。
ステップＳ２４０では、制御部８１０が、サービスサーバ８００Ａが提供するアクセス対象コンテンツサイトにアクセスがあるか否かを判定する。ステップＳ２４０において、ＹＥＳならば、ステップＳ２４１に進む。一方、ステップＳ２４０において、ＮＯならば、再度、ステップＳ２４０の処理が行なわれる。
【０１８８】
ステップＳ２４１では、制御部８１０が、アクセス対象コンテンツサイトにアクセスした映像表示装置６００へ、コンテンツリストデータを送信する。その後、ステップＳ２４１の処理は終了する。ここで、コンテンツリストデータは、サービスサーバ８００Ａからストリーミング受信またはダウンロード可能な複数のコンテンツにそれぞれ対応する複数のコンテンツ情報からなるデータである。すなわち、コンテンツリストデータを構成する複数のコンテンツ情報にそれぞれ対応する複数のコンテンツのデータは、サービスサーバ８００Ａの記憶部８２０に記憶されている。ここで、コンテンツリストデータは、以下のコンテンツリストデータＤ２００であるとする。
【０１８９】
記憶部８２０に記憶される複数のコンテンツのデータの各々は、たとえば、ＭＰＥＧ２−ＴＳ（Transport Stream）形式で圧縮された動画像データであるとする。なお、複数のコンテンツのデータの各々は、ＭＰＥＧ２−ＴＳ形式で圧縮されたデータに限定されることなく、他の形式で圧縮されたデータであってもよい。ここで、他の形式とは、たとえば、ＭＰＥＧ２、Ｈ．２６４等の形式である。
【０１９０】
図１４は、一例としてのコンテンツリストデータＤ２００を示す図である。図１４を参照して、コンテンツリストデータＤ２００は、複数のコンテンツ情報から構成される。「番号」とは、複数のコンテンツ情報を管理するための番号である。「タイトル」とは、コンテンツのタイトルを示す。「再生時間」とは、コンテンツの再生時間を示す。「ＵＲＬ」とは、対応するコンテンツを取得するためのＵＲＬである。
【０１９１】
再び、図１３を参照して、映像表示装置６００では、ステップＳ２２１の処理の後、ステップＳ２２２に進む。
【０１９２】
ステップＳ２２２では、リスト受信処理が行なわれる。リスト受信処理では、制御部６１０が、サービスサーバ８００Ａから送信されたコンテンツリストデータＤ２００を受信し、受信したコンテンツリストデータＤ２００を、記憶部６２０に記憶させる。その後、ステップＳ２２３に進む。
【０１９３】
なお、コンテンツリストデータＤ２００には、ストリーミング受信またはダウンロード可能な複数のコンテンツにそれぞれ対応するサムネイル画像のデータも含まれる。サムネイル画像は、動画像および静止画像のいずれであってもよい。サムネイル画像は、コンテンツの内容を示すための画像である。サムネイル画像は、たとえば、コンテンツの１シーンの動画像であってもよい。
【０１９４】
ステップＳ２２３では、制御部６１０が、ＶＤＰ６３２を利用して、コンテンツリストデータＤ２００を利用して、以下のコンテンツリスト画像Ｇ１００を生成し、表示部６３０に表示させる。その後、ステップＳ２２３の処理は終了する。
【０１９５】
以下においては、「制御部６１０が、ＶＤＰ６３２を利用して、画像を生成する」という処理を、単に、「制御部６１０が、画像を生成する」ともいう。また、「制御部５１０が、ＶＤＰ５３２を利用して、画像を生成する」という処理を、単に、「制御部５１０が、画像を生成する」ともいう。
【０１９６】
図１５は、一例としてのコンテンツリスト画像Ｇ１００を示す図である。図１５を参照して、コンテンツリスト画像Ｇ１００は、ボタン画像ＢＧ１０１，ＢＧ１０２，ＢＧ１０３，ＢＧ１０４，ＢＧ１０５，ＢＧ１０６，ＢＧ１０７，ＢＧ１０８，ＢＧ１０９が配置された画像である。ボタン画像ＢＧ１０１，ＢＧ１０２，ＢＧ１０３，ＢＧ１０４，ＢＧ１０５，ＢＧ１０６，ＢＧ１０７，ＢＧ１０８，ＢＧ１０９は、それぞれ、コンテンツリストデータＤ２００の番号“１”〜“９”のコンテンツ情報に対応する。たとえば、ボタン画像ＢＧ１０３は、コンテンツリストデータＤ２００の番号“３”のコンテンツ情報に対応する。
【０１９７】
また、ボタン画像ＢＧ１０１，ＢＧ１０２，ＢＧ１０３，ＢＧ１０４，ＢＧ１０５，ＢＧ１０６，ＢＧ１０７，ＢＧ１０８，ＢＧ１０９には、それぞれ、コンテンツリストデータＤ２００に含まれる番号“１”〜“９”のコンテンツ情報に対応するサムネイル画像が表示される。たとえば、ボタン画像ＢＧ１０２には、コンテンツリストデータＤ２００の番号“２”のコンテンツ情報に対応するサムネイル画像が表示される。
【０１９８】
なお、ボタン画像ＢＧ１０１，ＢＧ１０２，ＢＧ１０３，ＢＧ１０４，ＢＧ１０５，ＢＧ１０６，ＢＧ１０７，ＢＧ１０８，ＢＧ１０９には、それぞれ、コンテンツリストデータＤ２００に含まれる番号“１”〜“９”のコンテンツ情報に対応する「タイトル」が表示されてもよい。たとえば、ボタン画像ＢＧ１０３には、コンテンツリストデータＤ２００の番号“３”のコンテンツ情報に対応する「Ｇ映画」というタイトルが表示される。
【０１９９】
ボタン画像ＢＧ１０１，ＢＧ１０２，ＢＧ１０３，ＢＧ１０４，ＢＧ１０５，ＢＧ１０６，ＢＧ１０７，ＢＧ１０８，ＢＧ１０９の各々は、インターフェース操作Ｍにより、押下処理されることにより、対応するコンテンツの実体データをストリーミング受信またはダウンロードするためのボタン画像である。たとえば、ボタン画像ＢＧ１０３が、インターフェース操作Ｍにより、押下処理されると、コンテンツリストデータＤ２００の番号“３”に対応するタイトルが「Ｇ映画」であるコンテンツがサービスサーバ８００Ａからストリーミング受信またはダウンロードされる。
【０２００】
ここで、リモコンモードに設定された通信端末装置５００において、方向ボタン５４１Ａ，５４１Ｂ，５４１Ｃ，５４１Ｄのいずれかの短押操作がある毎に、通信端末装置５００から、映像表示装置６００へ選択リモコン信号が送信される。選択リモコン信号とは、コンテンツリスト画像Ｇ１００に配置されるボタン画像ＢＧ１０１，ＢＧ１０２，ＢＧ１０３，ＢＧ１０４，ＢＧ１０５，ＢＧ１０６，ＢＧ１０７，ＢＧ１０８，ＢＧ１０９のいずれか１つを選択状態にするためのリモコン信号である。選択状態の識別は、たとえば、ボタン画像の色を、他のボタン画像の色と異なる色にすることで行なわれる。
【０２０１】
方向ボタン５４１Ａ，５４１Ｂ，５４１Ｃ，５４１Ｄの各々は、短押操作されることにより、現在の選択状態のボタン画像に対し、それぞれ、上、下、左および右のボタン画像を選択状態にするための選択リモコン信号を送信する。
【０２０２】
たとえば、ボタン画像ＢＧ１０５が選択状態であるときに、通信端末装置５００において、方向ボタン５４１Ａの短押操作があると、通信端末装置５００から、映像表示装置６００へ選択リモコン信号が送信され、ボタン画像ＢＧ１０２が選択状態となる。
【０２０３】
また、ボタン画像ＢＧ１０１，ＢＧ１０２，ＢＧ１０３，ＢＧ１０４，ＢＧ１０５，ＢＧ１０６，ＢＧ１０７，ＢＧ１０８，ＢＧ１０９のいずれかが選択状態であるときに、通信端末装置５００において、決定ボタン５４１Ｅを短押操作があると、通信端末装置５００から、映像表示装置６００へコンテンツ取得リモコン信号が送信される。コンテンツ取得リモコン信号は、選択状態のボタン画像に対応するコンテンツを、サービスサーバ８００Ａから取得するためのリモコン信号である。
【０２０４】
映像表示装置６００では、ステップＳ２２３の処理の後、ステップＳ２２４に進む。
ステップＳ２２４では、コンテンツ取得操作があるか否かが判定される。具体的には、ボタン画像ＢＧ１０１，ＢＧ１０２，ＢＧ１０３，ＢＧ１０４，ＢＧ１０５，ＢＧ１０６，ＢＧ１０７，ＢＧ１０８，ＢＧ１０９のいずれかが選択状態であるときに、制御部６１０が、前述のコンテンツ取得リモコン信号を受信したか否かを判定する。ステップＳ２２４において、ＹＥＳならば、ステップＳ２２５に進む。一方、ステップＳ２２４において、ＮＯならば、再度、ステップＳ２２４の処理が行なわれる。
【０２０５】
以下においては、コンテンツ取得操作により取得対象となったコンテンツを取得対象コンテンツともいう。ここでは、ボタン画像ＢＧ１０３が選択状態であるときに、コンテンツ取得リモコン信号を受信したとする。ボタン画像１０３は、タイトルが「Ｇ映画」であるコンテンツを取得するためのボタン画像である。この場合、取得対象コンテンツは、タイトルが「Ｇ映画」であるコンテンツとなる。また、この場合の取得対象コンテンツのＵＲＬは、図１４のコンテンツリストデータＤ２００より、“http://www.bb.com/down/content3.mpg”となる。すなわち、取得対象コンテンツのファイル名は“content3.mpg”である。
【０２０６】
ステップＳ２２５では、制御部６１０が、取得対象コンテンツのＵＲＬ（“http://www.bb.com/down/content3.mpg”）で特定されるコンテンツを有するサービスサーバ８００Ａにアクセスすると共に、自装置の装置ＩＤを、サービスサーバ８００Ａへ送信する。すなわち、制御部６１０は、ファイル名が“content3.mpg”であるコンテンツを取得するためのコンテンツ取得要求を、サービスサーバ８００Ａへ送信する。また、コンテンツ取得要求には、上記の自装置の装置ＩＤが含まれる。ここで、装置ＩＤとは、装置を識別するための情報（以下、装置識別情報ともいう）である。映像表示装置６００の装置ＩＤは、一例として、“１１ＴＡ”であるとする。この場合、コンテンツ取得要求には、装置ＩＤ“１１ＴＡ”が含まれる。
【０２０７】
サービスサーバ８００Ａでは、ステップＳ２４１の処理の後、ステップＳ２４２に進む。
【０２０８】
ステップＳ２４２では、制御部８１０が、取得対象コンテンツのＵＲＬにアクセスがあり、装置ＩＤを受信したか否かを判定する。すなわち、制御部８１０は、装置ＩＤを含んだコンテンツ取得要求を受信したか否かを判定する。ステップＳ２４２において、ＹＥＳならば、ステップＳ２４３に進む。一方、ステップＳ２４２において、ＮＯならば、再度、ステップＳ２４２の処理が行なわれる。
【０２０９】
ステップＳ２４３では、コンテンツ取得要求に含まれる装置ＩＤが登録済みのものであるか否かが判定される。具体的には、制御部８１０が、記憶部８２０に受信した装置ＩＤが記憶されているか否かを判定する。記憶部８２０に装置ＩＤが記憶される処理は、後述する処理により行なわれる。ステップＳ２４３において、ＹＥＳならば、後述するステップＳ２４８に進む。一方、ステップＳ２４３において、ＮＯならば、ステップＳ２４４に進む。
【０２１０】
ステップＳ２４４では、制御部８１０が、認証要求を、コンテンツ取得要求に含まれる装置ＩＤで特定される映像表示装置６００へ送信する。認証要求には、認証用ＷｅｂページのＵＲＬ（以下、認証用ＵＲＬともいう）も含まれる。認証用ＵＲＬは、たとえば、“http://www.bb.com/certification/certification.html”であるとする。なお、認証用Ｗｅｂページのデータは、記憶部８２０に記憶されている。
【０２１１】
映像表示装置６００では、ステップＳ２２５の処理の後、ステップＳ２２６に進む。
ステップＳ２２６では、制御部６１０が、認証要求を受信したか否かを判定する。ステップＳ２２６において、ＹＥＳならば、ステップＳ２２７に進む。一方、ステップＳ２２６において、ＮＯならば、再度、ステップＳ２２６の処理が行なわれる。
【０２１２】
ステップＳ２２７では、認証代行要求送信処理が行なわれる。認証代行要求送信処理では、制御部６１０が、認証処理を代行してもらうための認証代行要求を、通信端末装置５００へ送信する。認証代行要求には、以下の装置データＤ３００が含まれる。
【０２１３】
図１６は、一例としての装置データＤ３００を示す図である。図１６を参照して、装置データＤ３００において、「サイト名」とは、認証処理を代行してもらうサイトの名称である。「タイトル」とは、取得対象コンテンツのタイトルである。「認証用ＵＲＬ」とは、前述したようにサービスサーバ８００Ａから受信したＵＲＬである。「装置種類」とは、映像表示装置６００の装置の種類を示す。
【０２１４】
「装置ＩＤ」とは、映像表示装置６００の装置ＩＤである。「ＩＰアドレス」とは、映像表示装置６００に割り当てられているグローバルＩＰアドレスである。「対応フォーマット」とは、映像表示装置６００が再生可能な動画像のフォーマットである。「最大通信速度」とは、映像表示装置６００が、サービスサーバ８００Ａと最大で通信可能な速度である。
【０２１５】
再び、図１３を参照して、ステップＳ２２７の認証代行要求送信処理では、制御部６１０が、以下の要求表示画像Ｇ１００Ａを生成し、要求表示画像Ｇ１００Ａを表示部６３０に表示させる。その後、ステップＳ２２７の処理は終了する。
【０２１６】
図１７は、一例としての要求表示画像Ｇ１００Ａを示す図である。図１７を参照して、要求表示画像Ｇ１００Ａは、図１５のコンテンツリスト画像Ｇ１００と比較して、メッセージ画像Ｇ１１０がさらに配置されている点が異なる。それ以外は、コンテンツリスト画像Ｇ１００と同様なので詳細な説明は繰り返さない。
【０２１７】
メッセージ画像Ｇ１１０には、通信端末装置で認証処理を行なうことを要求する旨のメッセージが表示される。当該メッセージは、たとえば、「通信端末装置で認証処理を行なってください。」というメッセージである。
【０２１８】
再び、図１３を参照して、通信端末装置５００では、ステップＳ２１１の処理の後、ステップＳ２１４に進む。
【０２１９】
ステップＳ２１４では、制御部５１０が、認証代行要求を受信したか否かを判定する。ステップＳ２１４において、ＹＥＳならば、ステップＳ２１５に進む。一方、ステップＳ２１４において、ＮＯならば、再度、ステップＳ２１４の処理が行なわれる。
【０２２０】
ステップＳ２１５では、制御部５１０が、以下の認証要求画像ＭＧ３００を生成し、認証要求画像ＭＧ３００を表示部５３０に表示させる。その後、ステップＳ２１５の処理は終了する。
【０２２１】
図１８は、一例としての認証要求画像ＭＧ３００を示す図である。図１８を参照して、認証要求画像ＭＧ３００には、ボタン画像ＭＢＧ３８０が配置される。ボタン画像ＭＢＧ３８０は、インターフェース操作Ｍにより、押下処理されることにより、認証処理を行なうためのボタン画像である。
【０２２２】
再び、図１３を参照して、ステップＳ２１５の処理の後、ステップＳ２１６に進む。
ステップＳ２１６では、制御部５１０が、認証処理実行操作があるか否かを判定する。認証処理実行操作は、ボタン画像ＭＢＧ３８０を押下処理するためのインターフェース操作Ｍである。ステップＳ２１６において、ＹＥＳならば、ステップＳ２１７に進む。一方、ステップＳ２１６において、ＮＯならば、再度、ステップＳ２１６の処理が行なわれる。
【０２２３】
ステップＳ２１７では、認証処理が行なわれる。認証処理では、制御部５１０が、認証用ＵＲＬで特定される認証用Ｗｅｂページを有するサービスサーバ８００Ａにアクセスすると共に、アクセス対象コンテンツサイトに対応するユーザ識別情報および映像表示装置６００の装置ＩＤ（１１ＴＡ）が含まれる装置データＤ３００を、サービスサーバ８００Ａへ送信する。ここで、認証用ＵＲＬは、“http://www.bb.com/certification/certification.html”であるとする。また、アクセス対象コンテンツサイトは、サイト名が「ＢＢサービス」のコンテンツサイトであるとする。この場合、ユーザ識別情報は、図１２に示す「ｂｂｋｋ」という情報となる。
【０２２４】
サービスサーバ８００Ａでは、ステップＳ２４４の処理の後、ステップＳ２４５に進む。
【０２２５】
ステップＳ２４５では、制御部８１０が、認証用ＵＲＬにアクセスがあり、かつ、アクセス対象コンテンツサイトに対応するユーザ識別情報（ｂｂｋｋ）および装置ＩＤを受信したか否かを判定する。ステップＳ２４５において、ＹＥＳならば、認証成功として、ステップＳ２４６に進む。一方，ステップＳ２４５において、ＮＯならば、認証不成功として、再度、ステップＳ２４５の処理が行なわれる。
【０２２６】
ステップＳ２４６では、認証完了処理が行なわれる。認証完了処理では、制御部８１０が、受信した、装置ＩＤ“１１ＴＡ”を含む装置データＤ３００を、記憶部８２０に記憶させる。この処理により、装置ＩＤ“１１ＴＡ”は、登録済みの装置ＩＤとなる。
【０２２７】
また、制御部８１０は、認証完了データを、認証用ＵＲＬにアクセスした通信端末装置５００へ送信する。認証完了データは、認証が完了した旨を知らせるためのメッセージを含むデータである。
【０２２８】
通信端末装置５００では、ステップＳ２１７の認証処理において、制御部５１０が、認証完了データを受信したと判定した場合、認証完了画像表示処理を行なう。認証完了画像表示処理では、制御部５１０は、受信した認証完了データを利用して、以下の認証完了画像ＭＧ４００を生成し、認証完了画像ＭＧ４００を表示部５３０に表示させる。その後、ステップＳ２１７の処理は終了する。
【０２２９】
なお、制御部５１０が、サービスサーバ８００Ａへ前述したデータを送信した後、所定時間（たとえば、５分）経過しても、認証完了データを受信しない場合は、制御部５１０は、たとえば、「認証失敗です」という旨のメッセージを表示した画像を、表示部５３０に表示させる。この場合、再度、ステップＳ２１６の処理が行なわれる。
【０２３０】
図１９は、一例としての認証完了画像ＭＧ４００を示す図である。図１９を参照して、認証完了画像ＭＧ４００には、ボタン画像ＭＢＧ４８０が配置される。ボタン画像ＭＢＧ４８０は、インターフェース操作Ｍにより、押下処理されることにより、映像表示装置６００の表示部６３０において、前述のコンテンツ取得操作により選択された取得対象コンテンツの再生表示を実行させるためのボタン画像である。
【０２３１】
再び、図１３を参照して、ステップＳ２１７の処理の後、ステップＳ２１８に進む。
ステップＳ２１８では、制御部５１０が、再生操作があるか否かを判定する。再生操作は、ボタン画像ＭＢＧ４８０を押下処理するためのインターフェース操作Ｍである。ステップＳ２１８において、ＹＥＳならば、ステップＳ２１９に進む。一方、ステップＳ２１８において、ＮＯならば、再度、ステップＳ２１８の処理が行なわれる。
【０２３２】
ステップＳ２１９では、制御部５１０が、取得対象コンテンツを再生させるための再生指示を、映像表示装置６００へ送信する。再生指示には、取得対象コンテンツのタイトルが含まれる。ここで、取得対象コンテンツのタイトルは、「Ｇ映画」であるとする。そして、ステップＳ２１９の処理は終了し、再度、ステップＳ２１４の処理が行なわれる。
【０２３３】
映像表示装置６００では、ステップＳ２２７の処理の後、ステップＳ２２８に進む。
ステップＳ２２８では、制御部６１０が、再生指示を受信したか否かを判定する。ステップＳ２２８において、ＹＥＳならば、ステップＳ２２９に進む。一方、ステップＳ２２８において、ＮＯならば、再度、ステップＳ２２８の処理が行なわれる。
【０２３４】
ステップＳ２２９では、再生処理が行なわれる。再生処理では、制御部６１０が、コンテンツリストデータＤ２００を参照して、受信した再生指示に含まれる取得対象コンテンツのタイトルに対応する取得対象コンテンツのＵＲＬで特定されるコンテンツを有するサービスサーバ８００Ａにアクセスすると共に、自装置の装置ＩＤを、サービスサーバ８００Ａへ送信する。取得対象コンテンツのＵＲＬは、“http://www.bb.com/down/content3.mpg”であるとする。自装置の装置ＩＤは、“１１ＴＡ”であるとする。
【０２３５】
サービスサーバ８００Ａでは、ステップＳ２４６の処理の後、ステップＳ２４７に進む。
【０２３６】
ステップＳ２４７では、制御部８１０が、装置ＩＤを受信したか否かを判定する。ステップＳ２４７において、ＹＥＳならば、ステップＳ２４８に進む。一方、ステップＳ２４７において、ＮＯならば、再度、ステップＳ２４７の処理が行なわれる。ステップＳ２４７において、ＹＥＳと判定された場合、制御部８１０が受信した装置ＩＤは、記憶部８２０に記憶されている、登録済みの装置ＩＤ（“１１ＴＡ”）となる。
【０２３７】
ステップＳ２４８では、コンテンツ配信処理が行なわれる。コンテンツ配信処理では、制御部８１０が、取得対象コンテンツを、受信した装置ＩＤ“１１ＴＡ” により特定される映像表示装置６００へストリーミング配信する処理を開始する。なお、映像表示装置６００は、受信した装置ＩＤ“１１ＴＡ”を含む装置データＤ３００に含まれるＩＰアドレス（１１１．１１１．２２２．２２２）でも特定される。
【０２３８】
ここで、取得要求コンテンツは、ＭＰＥＧ２−ＴＳで圧縮された動画像データであるとする。なお、動画像データの圧縮形式は、ＭＰＥＧ２形式に限定されることなく、他の形式で圧縮されたデータであってもよい。ここで、他の形式とは、たとえば、ＭＰＥＧ２、Ｈ．２６４等の形式である。また、取得要求コンテンツは、タイトルが「Ｇ映画」の動画像データであるとする。なお、取得要求コンテンツは、ストリーミング配信ではなく、映像表示装置６００が、取得要求コンテンツをダウンロード可能なように送信されてもよい。
【０２３９】
なお、配信する取得要求コンテンツが有料のコンテンツである場合は、制御部８１０は、ユーザ識別情報を送信した通信端末装置５００に対して、課金処理を行なう。課金処理は、たとえば、コンテンツの配信を提供する会社が、通信端末装置５００のユーザに請求する、１ヶ月の通信料金に、取得要求コンテンツの料金を加算する処理である。
【０２４０】
取得要求コンテンツの配信が終了すると、ステップＳ２４８の処理は終了し、再度、ステップＳ２４２の処理が行なわれる。
【０２４１】
映像表示装置６００では、ステップＳ２２９の再生処理において、制御部６１０が、ＶＤＰ６３２を利用して、取得要求コンテンツをサービスサーバ８００Ａから受信しながら、取得要求コンテンツに基づく画像（以下、コンテンツ画像ともいう）を、表示部６３０に表示するストリーミング再生表示処理が行なわれる。なお、取得要求コンテンツの受信が完了し、取得要求コンテンツに基づく画像の再生が終了した場合、ステップＳ２２９の処理は終了し、再度、ステップＳ２２４の処理が行なわれる。
【０２４２】
なお、再生処理では、取得要求コンテンツのデータを全てダウンロードした後に、取得要求コンテンツに基づくコンテンツ画像を、表示部６３０に再生表示する処理が行なわれてもよい。
【０２４３】
以上説明したように、本実施の形態によれば、映像表示装置６００は、登録された装置にしか発行されないユーザ識別情報を保有していなくても、ユーザ識別情報を有する他の装置（通信端末装置５００）で代行して認証処理をしてもらい、認証処理が完了後、サービスサーバ８００Ａから取得要求コンテンツを受信し、取得要求コンテンツに基づくコンテンツ画像を、表示部６３０に再生表示する。
【０２４４】
したがって、通信端末装置５００で、複数のコンテンツサイトにそれぞれ対応する複数のユーザ識別情報を一元管理することができる。すなわち、通信端末装置５００および映像表示装置６００の両方の装置でサービスサーバ８００Ａ（コンテンツサイト）に登録する手間が不要となる。その結果、ユーザに無駄な手間をかけることなく、手軽にサービスを享受することができるという効果を奏する。
【０２４５】
また、映像表示装置６００は、友人、知人等の不特定な人が使用する可能性もある。なお、本実施の形態における映像表示装置６００は、ユーザ識別情報を管理しない。そのため、映像表示装置６００を操作して、不特定な人が勝手にコンテンツサイトから有料のコンテンツをダウンロードするような不正行為を防止することができる。
【０２４６】
＜第２の実施の形態＞
本実施の形態では、認証の代行要求を受信した通信端末装置が、他の通信端末装置に認証の代行要求を行ない、当該他の通信端末装置が認証処理を行なう処理について説明する。
【０２４７】
本実施の形態では、複数台の通信端末装置５００が、映像表示装置６００に対して、後述する処理を行なうとする。以下の説明では、２台の通信端末装置５００が、映像表示装置６００に対して、後述する処理を行なうとする。以下においては、一方の通信端末装置５００を、通信端末装置Ａともいう。また、他方の通信端末装置５００を通信端末装置Ｂともいう。通信端末装置Ａの装置ＩＤは“１１ＭＡ”であるとする。通信端末装置Ｂの装置ＩＤは“１１ＭＢ”であるとする。なお、通信端末装置５００の数は、２台に限定されることなく、３台以上であってもよい。
【０２４８】
本実施の形態におけるネットワークシステムは、第１の実施の形態におけるネットワークシステム１０００と同様なので詳細な説明は繰り返さない。通信端末装置５００、映像表示装置６００およびサービスサーバ８００Ａの各々の構成は、第１の実施の形態において、説明した構成と同様なので詳細な説明は繰り返さない。
【０２４９】
本実施の形態においても、通信端末装置Ａおよび通信端末装置Ｂの各々は、第１の実施の形態で説明した登録処理を行なっているとする。したがって、通信端末装置Ａおよび通信端末装置Ｂの各々の記憶部５２０には、たとえば、図１２のユーザ識別情報登録データテーブルＤ１００が記憶されている。
【０２５０】
次に、通信端末装置Ａおよび通信端末装置Ｂのいずれかと、映像表示装置６００が、登録済みのコンテンツサイトにアクセスする場合の処理（以下、コンテンツサイトアクセス処理Ａともいう）について説明する。コンテンツサイトアクセス処理Ａは、映像表示装置６００が、ユーザ識別情報を有する通信端末装置に認証処理を代行してもらい、映像表示装置６００が、コンテンツサイトが提供するサービスを享受するための処理である。サービスとは、たとえば、コンテンツのストリーミング受信またはダウンロードである。
【０２５１】
また、コンテンツサイトアクセス処理Ａは、通信端末装置Ａがリモコンモードに設定されており、表示部５３０に、図９のリモコン画像ＭＧ１００が表示されている場合に行なわれる処理であるとする。ここで、ボタン画像ＭＢＧ１３０は、インターフェース操作Ｍにより、押下処理されることにより、予め、前述の登録処理により登録された、複数種類のコンテンツサイトのうち、図１２に示す、サイト名が「ＢＢサービス」であるコンテンツサイトにアクセスする処理を行なう設定が行なわれているとする。
【０２５２】
サイト名が「ＢＢサービス」であるコンテンツサイトは、サービスサーバ８００Ａが提供するコンテンツサイトであるとする。すなわち、サイト名が「ＢＢサービス」であるコンテンツサイトのデータは、サービスサーバ８００Ａの記憶部８２０に記憶されている。以下においては、アクセスの対象となるコンテンツサイトを、アクセス対象コンテンツサイトともいう。ここでは、アクセス対象コンテンツサイトは、一例として、サイト名が「ＢＢサービス」のコンテンツサイトであるとする。
【０２５３】
なお、アクセス対象コンテンツサイトは、対応するユーザ識別情報を受信することで、要求されたコンテンツの配信を許可するものとする。たとえば、アクセス対象コンテンツサイトが、サイト名が「ＢＢサービス」であるコンテンツサイトである場合、ユーザ識別情報として、図１２に示す「ｂｂｋｋ」という情報を受信することで、要求されたコンテンツの配信を許可する。
【０２５４】
図２０は、コンテンツサイトアクセス処理Ａのフローチャートを示す図である。図２０では、通信端末装置Ａ、映像表示装置６００およびサービスサーバ８００Ａの各々において行なわれる処理を示す。図２０を参照して、コンテンツサイトアクセス処理Ａは、図１３のコンテンツサイトアクセス処理と比較して、ステップＳ２１５，Ｓ２１６，Ｓ２１７，Ｓ２４５，Ｓ２４６の処理が行なわれない点と、ステップＳ２１４Ａ，Ｓ２４４Ａの処理がさらに行なわれる点とが異なる。それ以外は、コンテンツサイトアクセス処理と同様なので詳細な説明は繰り返さない。以下、第１の実施の形態のコンテンツサイトアクセス処理と異なる処理を、主に説明する。
【０２５５】
コンテンツサイトアクセス処理Ａにおいて、ステップＳ２１４の処理が行なわれるまでの通信端末装置Ａ、映像表示装置６００、サービスサーバ８００Ａの各々で行なわれる処理は、第１の実施の形態のコンテンツサイトアクセス処理において、通信端末装置５００を通信端末装置Ａと置き換えた処理と同様なので詳細な説明は繰り返さない。
【０２５６】
サービスサーバ８００Ａでは、ステップＳ２４４の処理の後、ステップＳ２４４Ａに進む。
【０２５７】
ステップＳ２４４Ａでは、認証判定処理が行なわれる。
通信端末装置Ａでは、ステップＳ２１４において、第１の実施の形態と同様な処理が行なわれるので詳細な説明は繰り返さない。ステップＳ２１４では、認証代行要求を受信したとして、ステップＳ２１４Ａに進む。なお、認証代行要求には、図１６の装置データＤ３００が含まれるとする。
【０２５８】
ステップＳ２１４Ａでは、認証処理を他の通信端末装置に行なってもらうための代行要求処理が行なわれる。ここで、他の通信端末装置は、通信端末装置Ｂであるとする。
【０２５９】
図２１は、代行要求処理、通信端末装置Ｂで行なわれる処理および認証判定処理のフローチャートである。図２１を参照して、通信端末装置Ａが行なう代行要求処理では、まず、ステップＳ３１１の処理が行なわれる。
【０２６０】
ステップＳ３１１では、制御部５１０が、受信した認証代行要求を、通信端末装置Ｂへ送信（転送）する。なお、認証代行要求には、図１６の装置データＤ３００が含まれるとする。その後、ステップＳ３１１の処理は終了する。
【０２６１】
通信端末装置Ｂでは、まず、ステップＳ３３１の処理が行なわれる。
ステップＳ３３１では、制御部５１０が、認証代行要求を受信したか否かを判定する。ステップＳ３３１において、ＹＥＳならば、ステップＳ３３５に進む。一方、ステップＳ３３１において、ＮＯならば、再度、ステップＳ３３１の処理が行なわれる。
【０２６２】
ステップＳ３３５では、制御部５１０が、図１８の認証要求画像ＭＧ３００を生成し、認証要求画像ＭＧ３００を表示部５３０に表示させる。そして、ステップＳ３３６に進む。
【０２６３】
ステップＳ３３６では、制御部５１０が、認証処理実行操作があるか否かを判定する。認証処理実行操作は、ボタン画像ＭＢＧ３８０を押下処理するためのインターフェース操作Ｍである。ステップＳ３３６において、ＹＥＳならば、ステップＳ３３７に進む。一方、ステップＳ３３６において、ＮＯならば、再度、ステップＳ３３６の処理が行なわれる。
【０２６４】
ステップＳ３３７では、認証処理Ａが行なわれる。認証処理Ａでは、制御部５１０が、認証用ＵＲＬで特定される認証用Ｗｅｂページを有するサービスサーバ８００Ａにアクセスすると共に、アクセス対象コンテンツサイトに対応するユーザ識別情報および映像表示装置６００の装置ＩＤ（１１ＴＡ）が含まれる装置データＤ３００を、サービスサーバ８００Ａへ送信する。ここで、認証用ＵＲＬは、“http://www.bb.com/certification/certification.html”であるとする。また、アクセス対象コンテンツサイトは、サイト名が「ＢＢサービス」のコンテンツサイトであるとする。この場合、ユーザ識別情報は、図１２に示す「ｂｂｋｋ」という情報となる。
【０２６５】
サービスサーバ８００Ａが行なう認証判定処理では、まず、ステップＳ３４５の処理が行なわれる。
【０２６６】
ステップＳ３４５では、制御部８１０が、認証用ＵＲＬにアクセスがあり、かつ、アクセス対象コンテンツサイトに対応するユーザ識別情報（ｂｂｋｋ）および装置ＩＤを受信したか否かを判定する。ステップＳ３４５において、ＹＥＳならば、認証成功として、ステップＳ３４６に進む。一方，ステップＳ３４５において、ＮＯならば、認証不成功として、再度、ステップＳ３４５の処理が行なわれる。
【０２６７】
ステップＳ３４６では、認証完了処理が行なわれる。認証完了処理では、制御部８１０が、受信した、装置ＩＤ“１１ＴＡ”を含む装置データＤ３００を、記憶部８２０に記憶させる。この処理により、装置ＩＤ“１１ＴＡ”は、登録済みの装置ＩＤとなる。
【０２６８】
また、制御部８１０は、認証完了データを、認証用ＵＲＬにアクセスした通信端末装置Ｂへ送信する。認証完了データは、認証が完了した旨を知らせるためのメッセージを含むデータである。そして、ステップＳ３４６の処理は終了し、この認証判定処理は終了し、図２０のサービスサーバ８００Ａの処理に戻り、ステップＳ２４４Ａの処理が終了し、ステップＳ２４７に進む。
【０２６９】
通信端末装置Ｂでは、ステップＳ３３７の認証処理Ａにおいて、制御部５１０が、認証完了データを受信したと判定した場合、認証処理が完了した旨を知らせるための画像を表示部５３０に表示する。その後、ステップＳ３３７の処理は終了し、ステップＳ３３８に進む。
【０２７０】
なお、制御部５１０が、サービスサーバ８００Ａへ前述したデータを送信した後、所定時間（たとえば、５分）経過しても、認証完了データを受信しない場合は、制御部５１０は、たとえば、「認証失敗です」という旨のメッセージを表示した画像を、表示部５３０に表示させる。この場合、再度、ステップＳ３３６の処理が行なわれる。
【０２７１】
ステップＳ３３８では、制御部５１０が、受信した認証完了データを、認証代行要求を送信した通信端末装置Ａへ送信（転送）する。その後、再度、ステップＳ３３１の処理が行なわれる。
【０２７２】
通信端末装置Ａでは、ステップＳ３１１の処理の後、ステップＳ３１８に進む。
ステップＳ３１８では、制御部５１０が、認証完了データを受信したか否かを判定する。ステップＳ３１８において、ＹＥＳならば、ステップＳ３１９に進む。一方、ステップＳ３１８において、ＮＯならば、再度、ステップＳ３１８の処理が行なわれる。
【０２７３】
なお、制御部５１０が、通信端末装置Ａへ前述した認証代行要求を送信した後、所定時間（たとえば、５分）経過しても、認証完了データを受信しない場合は、制御部５１０は、たとえば、「認証失敗です」という旨のメッセージを表示した画像を、表示部５３０に表示させる。この場合、再度、ステップＳ３１１の処理が行なわれる。
【０２７４】
ステップＳ３１９では、認証完了画像表示処理が行なわれる。認証完了画像表示処理では、制御部５１０は、受信した認証完了データを利用して、図１９の認証完了画像ＭＧ４００を生成し、認証完了画像ＭＧ４００を表示部５３０に表示させる。その後、ステップＳ３１９の処理は終了し、この代行要求処理は終了し、図２０の通信端末装置Ａの処理に戻り、ステップＳ２１４Ａの処理が終了し、ステップＳ２１８に進む。
【０２７５】
ステップＳ２１８では、第１の実施の形態と同様な処理が行なわれるので詳細な説明は繰り返さない。ここでは、再生操作があったとして、ステップＳ２１９に進む。
【０２７６】
ステップＳ２１９では、第１の実施の形態と同様な処理が行なわれるので詳細な説明は繰り返さない。この処理により、取得対象コンテンツのタイトルが含まれる再生指示が、映像表示装置６００へ送信される。ここで、取得対象コンテンツのタイトルは、「Ｇ映画」であるとする。
【０２７７】
映像表示装置６００では、ステップＳ２２７の処理の後、ステップＳ２２８に進む。
ステップＳ２２８では、第１の実施の形態と同様な処理が行なわれるので詳細な説明は繰り返さない。ここでは、再生指示を受信したとして、ステップＳ２２９に進む。
【０２７８】
ステップＳ２２９では、第１の実施の形態と同様な処理が行なわれるので詳細な説明は繰り返さない。この処理により、制御部６１０が、コンテンツリストデータＤ２００を参照して、受信した再生指示に含まれる取得対象コンテンツのタイトルに対応する取得対象コンテンツのＵＲＬで特定されるコンテンツを有するサービスサーバ８００Ａにアクセスすると共に、自装置の装置ＩＤを、サービスサーバ８００Ａへ送信する。取得対象コンテンツのＵＲＬは、“http://www.bb.com/down/content3.mpg”であるとする。自装置の装置ＩＤは、“１１ＴＡ”であるとする。
【０２７９】
サービスサーバ８００Ａでは、ステップＳ２４７において、第１の実施の形態と同様な処理が行なわれるので詳細な説明は繰り返さない。ここでは、装置ＩＤを受信したとして、ステップＳ２４８に進む。
【０２８０】
ステップＳ２４８では、第１の実施の形態と同様な処理が行なわれるので詳細な説明は繰り返さない。この処理により、取得要求コンテンツが、映像表示装置６００へストリーミング配信される。取得要求コンテンツの配信が終了すると、ステップＳ２４８の処理は終了し、再度、ステップＳ２４２の処理が行なわれる。
【０２８１】
映像表示装置６００では、ステップＳ２２９の再生処理において、第１の実施の形態と同様な処理が行なわれるので詳細な説明は繰り返さない。この処理により、表示部６３０に、取得要求コンテンツに基づく画像が再生表示される。ステップＳ２２９の処理が終了すると、再度、ステップＳ２２４の処理が行なわれる。
【０２８２】
以上説明したように、本実施の形態によれば、認証の代行要求を受信した通信端末装置が、他の通信端末装置に認証の代行要求を行ない、当該他の通信端末装置が認証処理を行なう場合においても、第１の実施の形態の奏する効果を得ることができる。
【０２８３】
＜第３の実施の形態＞
本実施の形態では、通信端末装置５００において、コンテンツを選択するためのリストを表示させる処理について説明する。
【０２８４】
本実施の形態におけるネットワークシステムは、第１の実施の形態におけるネットワークシステム１０００と同様なので詳細な説明は繰り返さない。通信端末装置５００、映像表示装置６００およびサービスサーバ８００Ａの各々の構成は、第１の実施の形態において、説明した構成と同様なので詳細な説明は繰り返さない。
【０２８５】
本実施の形態においても、通信端末装置５００は、第１の実施の形態で説明した登録処理を行なっているとする。したがって、通信端末装置５００の記憶部５２０には、たとえば、図１２のユーザ識別情報登録データテーブルＤ１００が記憶されている。
【０２８６】
次に、通信端末装置５００および映像表示装置６００が、登録済みのコンテンツサイトにアクセスする場合の処理（以下、コンテンツサイトアクセス処理Ｂともいう）について説明する。コンテンツサイトアクセス処理Ｂは、映像表示装置６００が、ユーザ識別情報を有する通信端末装置５００に認証処理を代行してもらい、映像表示装置６００が、コンテンツサイトが提供するサービスを享受するための処理である。サービスとは、たとえば、コンテンツのストリーミング受信またはダウンロードである。
【０２８７】
また、コンテンツサイトアクセス処理Ｂは、通信端末装置５００がリモコンモードに設定されており、表示部５３０に、図９のリモコン画像ＭＧ１００が表示されている場合に行なわれる処理であるとする。ここで、ボタン画像ＭＢＧ１３０は、インターフェース操作Ｍにより、押下処理されることにより、予め、前述の登録処理により登録された、複数種類のコンテンツサイトのうち、図１２に示す、サイト名が「ＢＢサービス」であるコンテンツサイトにアクセスする処理を行なう設定が行なわれているとする。
【０２８８】
サイト名が「ＢＢサービス」であるコンテンツサイトは、サービスサーバ８００Ａが提供するコンテンツサイトであるとする。すなわち、サイト名が「ＢＢサービス」であるコンテンツサイトのデータは、サービスサーバ８００Ａの記憶部８２０に記憶されている。以下においては、アクセスの対象となるコンテンツサイトを、アクセス対象コンテンツサイトともいう。ここでは、アクセス対象コンテンツサイトは、一例として、サイト名が「ＢＢサービス」のコンテンツサイトであるとする。
【０２８９】
なお、アクセス対象コンテンツサイトは、対応するユーザ識別情報を受信することで、要求されたコンテンツの配信を許可するものとする。たとえば、アクセス対象コンテンツサイトが、サイト名が「ＢＢサービス」であるコンテンツサイトである場合、ユーザ識別情報として、図１２に示す「ｂｂｋｋ」という情報を受信することで、要求されたコンテンツの配信を許可する。
【０２９０】
図２２は、コンテンツサイトアクセス処理Ｂのフローチャートを示す図である。図２２では、通信端末装置５００、映像表示装置６００およびサービスサーバ８００Ａの各々において行なわれる処理を示す。
【０２９１】
図２２を参照して、コンテンツサイトアクセス処理Ｂは、図１３のコンテンツサイトアクセス処理と比較して、ステップＳ２１８の代わりにステップＳ２１８Ｂが行なわれる点と、ステップＳ２１９の代わりにステップＳ２１９Ｂが行なわれる点と、ステップＳ２２２の代わりにステップＳ２２２Ｂが行なわれる点と、ステップＳ２４１の代わりにステップＳ２４１Ｂが行なわれる点とが異なる。
【０２９２】
また、コンテンツサイトアクセス処理Ｂは、コンテンツサイトアクセス処理と比較して、ステップＳ２２３，Ｓ２２４，Ｓ２２５，Ｓ２２６，Ｓ２４２，Ｓ２４３，Ｓ２４４が行なわれない点と、ステップＳ２１７Ａ，Ｓ２１７Ｂ，Ｓ２１７Ｃ，Ｓ２２７Ａ，Ｓ２２７Ｂがさらに行なわれる点とが異なる。それ以外は、コンテンツサイトアクセス処理と同様なので詳細な説明は繰り返さない。以下、第１の実施の形態のコンテンツサイトアクセス処理と異なる処理を、主に説明する。
【０２９３】
コンテンツサイトアクセス処理Ｂにおいて、通信端末装置５００では、まず、ステップＳ２１０の処理が行なわれる。
【０２９４】
ステップＳ２１０では、第１の実施の形態と同様な処理が行なわれるので詳細な説明は繰り返さない。ここでは、サイトアクセス操作があったとして、ステップＳ２１１に進む。
【０２９５】
ステップＳ２１１では、第１の実施の形態と同様な処理が行なわれるので詳細な説明は繰り返さない。この処理により、アクセス指示としてのサイトアクセスリモコン信号が、映像表示装置６００へ送信される。その後、ステップＳ２１１の処理は終了する。
【０２９６】
映像表示装置６００では、まず、ステップＳ２２０の処理が行なわれる。
ステップＳ２２０では、第１の実施の形態と同様な処理が行なわれるので詳細な説明は繰り返さない。ここでは、アクセス指示としてのサイトアクセスリモコン信号を受信したとして、ステップＳ２２１に進む。
【０２９７】
ステップＳ２２１では、第１の実施の形態と同様な処理が行なわれるので詳細な説明は繰り返さない。この処理により、制御部６１０が、アクセス対象コンテンツサイトにアクセスする。そのため、映像表示装置６００は、アクセス対象コンテンツサイトを提供するサービスサーバ８００Ａにアクセスすることになる。ここでは、アクセス対象コンテンツサイトは、サイト名が「ＢＢサービス」のコンテンツサイトであるとする。
【０２９８】
サービスサーバ８００Ａでは、まず、ステップＳ２４０の処理が行なわれる。
ステップＳ２４０では、第１の実施の形態と同様な処理が行なわれるので詳細な説明は繰り返さない。ここでは、サービスサーバ８００Ａが提供するアクセス対象コンテンツサイトにアクセスがあったとして、ステップＳ２４１Ｂに進む。
【０２９９】
ステップＳ２４１Ｂでは、制御部８１０が、アクセス対象コンテンツサイトにアクセスした映像表示装置６００へ、コンテンツリストデータおよび前述した認証用ＵＲＬを送信する。コンテンツリストデータは、図１４のコンテンツリストデータＤ２００であるとする。認証用ＵＲＬは、たとえば、“http://www.bb.com/certification/certification.html”であるとする。なお、認証用Ｗｅｂページのデータは、記憶部８２０に記憶されている。その後、ステップＳ２４１Ｂの処理は終了する
映像表示装置６００では、ステップＳ２２１の処理の後、ステップＳ２２２Ｂに進む。
【０３００】
ステップＳ２２２Ｂでは、受信処理が行なわれる。受信処理では、制御部６１０が、サービスサーバ８００Ａから送信されたコンテンツリストデータＤ２００および認証用ＵＲＬを受信し、受信したコンテンツリストデータＤ２００および認証用ＵＲＬを、記憶部６２０に記憶させる。その後、ステップＳ２２７に進む。
【０３０１】
ステップＳ２２７では、第１の実施の形態と同様に認証代行要求送信処理が行なわれるので詳細な説明は繰り返さない。この処理により、認証処理を代行してもらうための認証代行要求が、通信端末装置５００へ送信される。認証代行要求には、図１６の装置データＤ３００が含まれる。
【０３０２】
また、認証代行要求送信処理では、制御部６１０が、以下の要求表示画像Ｇ２００を生成し、要求表示画像Ｇ２００を表示部６３０に表示させる。その後、ステップＳ２２７の処理は終了する。なお、要求表示画像Ｇ２００を表示部６３０に表示させる処理は行なわれなくてもよい。
【０３０３】
図２３は、一例としての要求表示画像Ｇ２００を示す図である。図２３を参照して、要求表示画像Ｇ２００には、メッセージ画像Ｇ１１０が配置される。メッセージ画像Ｇ１１０には、通信端末装置で認証処理を行なうことを要求するメッセージが表示される。当該メッセージは、たとえば、「通信端末装置で認証処理を行なってください。」というメッセージである。
【０３０４】
再び、図２２を参照して、通信端末装置５００では、ステップＳ２１１の処理の後、ステップＳ２１４に進む。
【０３０５】
ステップＳ２１４では、第１の実施の形態と同様な処理が行なわれるので詳細な説明は繰り返さない。ここでは、認証代行要求を受信したとして、ステップＳ２１５に進む。
【０３０６】
ステップＳ２１５では、第１の実施の形態と同様な処理が行なわれるので詳細な説明は繰り返さない。この処理により、表示部５３０には、図１８の認証要求画像ＭＧ３００が表示される。その後、ステップＳ２１６に進む。
【０３０７】
ステップＳ２１６では、第１の実施の形態と同様な処理が行なわれるので詳細な説明は繰り返さない。ここでは、認証処理実行操作があったとして、ステップＳ２１７に進む。
【０３０８】
ステップＳ２１７では、第１の実施の形態と同様に認証処理が行なわれる。具体的には、制御部５１０が、認証用ＵＲＬで特定される認証用Ｗｅｂページを有するサービスサーバ８００Ａにアクセスすると共に、アクセス対象コンテンツサイトに対応するユーザ識別情報および映像表示装置６００の装置ＩＤ（１１ＴＡ）が含まれる装置データＤ３００を、サービスサーバ８００Ａへ送信する。ここで、認証用ＵＲＬは、“http://www.bb.com/certification/certification.html”であるとする。また、アクセス対象コンテンツサイトは、サイト名が「ＢＢサービス」のコンテンツサイトであるとする。この場合、ユーザ識別情報は、図１２に示す「ｂｂｋｋ」という情報となる。
【０３０９】
サービスサーバ８００Ａでは、ステップＳ２４１Ｂの処理の後、ステップＳ２４５に進む。
【０３１０】
ステップＳ２４５では、第１の実施の形態と同様な処理が行なわれるので詳細な説明は繰り返さない。ここでは、認証用ＵＲＬにアクセスがあり、かつ、アクセス対象コンテンツサイトに対応するユーザ識別情報（ｂｂｋｋ）および装置ＩＤを受信したとして、ステップＳ２４６に進む。
【０３１１】
ステップＳ２４６では、第１の実施の形態と同様な処理が行なわれるので詳細な説明は繰り返さない。この処理により、装置ＩＤ“１１ＴＡ”を含む装置データＤ３００が、記憶部８２０に記憶される。すなわち、装置ＩＤ“１１ＴＡ”は、登録済みの装置ＩＤとなる。
【０３１２】
また、制御部８１０は、認証完了データを、認証用ＵＲＬにアクセスした通信端末装置５００へ送信する。認証完了データは、認証が完了した旨を知らせるためのメッセージを含むデータである。
【０３１３】
通信端末装置５００では、ステップＳ２１７の認証処理において、制御部５１０が、認証完了データを受信したと判定した場合、認証完了画像表示処理を行なう。認証完了画像表示処理では、制御部５１０は、受信した認証完了データを利用して、図１９の認証完了画像ＭＧ４００を生成し、認証完了画像ＭＧ４００を表示部５３０に表示させる。その後、ステップＳ２１７の処理は終了する。
【０３１４】
なお、制御部５１０が、サービスサーバ８００Ａへ前述したデータを送信した後、所定時間（たとえば、５分）経過しても、認証完了データを受信しない場合は、制御部５１０は、たとえば、「認証失敗です」という旨のメッセージを表示した画像を、表示部５３０に表示させる。この場合、再度、ステップＳ２１６の処理が行なわれる。
【０３１５】
再び、図２２を参照して、ステップＳ２１７の処理の後、ステップＳ２１７Ａに進む。
ステップＳ２１７Ａでは、制御部５１０が、リスト要求を、映像表示装置６００へ送信する。リスト要求とは、サービスサーバ８００Ａからストリーミング受信またはダウンロード可能な複数のコンテンツのリストを取得するための要求である。
【０３１６】
映像表示装置６００では、ステップＳ２２７の処理の後、ステップＳ２２７Ａに進む。
ステップＳ２２７Ａでは、制御部６１０が、リスト要求を受信したか否かを判定する。ステップＳ２２７Ａにおいて、ＹＥＳならば、ステップＳ２２７Ｂに進む。一方、ステップＳ２２７Ａにおいて、ＮＯならば、再度、ステップＳ２２７Ａの処理が行なわれる。
【０３１７】
ステップＳ２２７Ｂでは、簡易リストデータ送信処理が行なわれる。簡易リストデータ送信処理では、制御部６１０が、コンテンツリストデータから、コンテンツ情報としての「タイトル」だけを抽出した簡易リストデータを生成し、生成した簡易リストデータを、通信端末装置５００へ送信する。コンテンツリストデータは、たとえば、図１４のコンテンツリストデータＤ２００であるとする。この場合、簡易リストデータは、以下の簡易リストデータＤ４００となる。その後、ステップＳ２２７Ｂの処理は終了する。
【０３１８】
図２４は、一例としての簡易リストデータＤ４００を示す図である。図２４を参照して、簡易リストデータＤ４００は、図１４のコンテンツリストデータＤ２００と比較して、「再生時間」および「ＵＲＬ」の項目がない点が異なる。それ以外は、コンテンツリストデータＤ２００と同様なので詳細な説明は繰り返さない。
【０３１９】
なお、前述のステップＳ２２２Ｂでは、ある１つのジャンル（たとえば、スポーツ）における複数のコンテンツの各々のタイトル、再生時間およびＵＲＬの情報を含むコンテンツリストデータＡを受信してもよい。この場合、コンテンツリストデータＡは、たとえば、図１４のコンテンツリストデータＤ２００において、複数のタイトルを、たとえば、スポーツに関するタイトルに置き換えたデータである。この場合、簡易リストデータは、簡易リストデータＤ４００において、複数のタイトルを、たとえば、スポーツに関するタイトルに置き換えたデータとなる。
【０３２０】
再び、図２２を参照して、通信端末装置５００では、ステップＳ２１７Ａの処理の後、ステップＳ２１７Ｂに進む。
【０３２１】
ステップＳ２１７Ｂでは、制御部５１０が、簡易リストデータを受信したか否かを判定する。ステップＳ２１７Ｂにおいて、ＹＥＳならば、制御部５１０が、受信した簡易リストデータを記憶部５２０に記憶させ、ステップＳ２１７Ｃに進む。一方、ステップＳ２１７Ｂにおいて、ＮＯならば、再度、ステップＳ２１７Ｂの処理が行なわれる。ここでは、簡易リストデータＤ４００を受信したとして、ステップＳ２１７Ｃに進む。
【０３２２】
ステップＳ２１７Ｃでは、制御部５１０が、受信した簡易リストデータに含まれる複数のコンテンツのタイトルを利用して、コンテンツリスト画像を生成し、表示部５３０に表示させる。その後、ステップＳ２１７Ｃの処理は終了する。ここで、簡易リストデータは、簡易リストデータＤ４００であるとし、生成されるコンテンツリスト画像は、以下のコンテンツリスト画像ＭＧ３００であるとする。
【０３２３】
図２５は、一例としてのコンテンツリスト画像ＭＧ５００を示す図である。図２５を参照して、コンテンツリスト画像ＭＧ５００には、リスト画像ＭＧ５１０と、ボタン画像ＭＢＧ５８５が配置される。
【０３２４】
リスト画像ＭＧ５１０には、簡易リストデータＤ４００に示される、複数のコンテンツのタイトルが表示される。コンテンツのタイトルは、コンテンツ情報である。
【０３２５】
リスト画像ＭＧ５１０には、さらに、枠ＭＳＲ５１２が配置される。枠ＭＳＲ５１２は、リスト画像ＭＧ５１０に表示されているタイトルを選択するための枠である。枠ＭＳＲ５１２は、方向ボタン５４１Ａおよび方向ボタン５４１Ｂの短押操作により、それぞれ、上および下に移動する。
【０３２６】
ボタン画像ＭＢＧ５８５は、インターフェース操作Ｍにより、押下処理されることにより、枠ＭＳＲ５１２により選択されているタイトルのコンテンツを、映像表示装置６００の表示部６３０において再生表示させるためのボタン画像である。
【０３２７】
再び、図２２を参照して、ステップＳ２１７Ｃの処理の後、ステップＳ２１８Ｂに進む。
【０３２８】
ステップＳ２１８Ｂでは、制御部５１０が、コンテンツ再生操作があるか否かを判定する。コンテンツ再生操作は、コンテンツリスト画像ＭＧ５００内の枠ＭＳＲ５１２によりタイトルが選択された状態で、ボタン画像ＭＢＧ５８５を押下処理するためのインターフェース操作Ｍである。ステップＳ２１８Ｂにおいて、ＹＥＳならば、ステップＳ２１９Ｂに進む。一方、ステップＳ２１８Ｂにおいて、ＮＯならば、再度、ステップＳ２１８Ｂの処理が行なわれる。
【０３２９】
ここでは、一例として、「Ｇ映画」というタイトルのコンテンツを再生するためのコンテンツ再生操作があったとして、ステップＳ２１９Ｂに進む。以下においては、ボタン画像ＭＢＧ５８５が押下処理されたときに、枠ＭＳＲ５１２により選択されていたタイトルのコンテンツを選択コンテンツともいう。
【０３３０】
ステップＳ２１９Ｂでは、制御部５１０が、選択コンテンツを再生させるための再生指示を、映像表示装置６００へ送信する。再生指示には、選択コンテンツのタイトルが含まれる。ここで、選択コンテンツのタイトルは、「Ｇ映画」であるとする。そして、ステップＳ２１９Ｂの処理は終了し、再度、ステップＳ２１４の処理が行なわれる。
【０３３１】
映像表示装置６００では、ステップＳ２２７Ｂの処理の後、ステップＳ２２８に進む。
ステップＳ２２８では、第１の実施の形態と同様な処理が行なわれるので詳細な説明は繰り返さない。ここでは、再生指示を受信したとして、ステップＳ２２９に進む。
【０３３２】
ステップＳ２２９では、再生処理が行なわれる。再生処理では、制御部６１０が、コンテンツリストデータＤ２００を参照して、受信した再生指示に含まれる選択コンテンツのタイトルに対応する選択コンテンツのＵＲＬで特定されるコンテンツを有するサービスサーバ８００Ａにアクセスすると共に、自装置の装置ＩＤを、サービスサーバ８００Ａへ送信する。選択コンテンツのＵＲＬは、“http://www.bb.com/down/content3.mpg”であるとする。自装置の装置ＩＤは、“１１ＴＡ”であるとする。
【０３３３】
サービスサーバ８００Ａでは、ステップＳ２４６の処理の後、ステップＳ２４７に進む。
【０３３４】
ステップＳ２４７では、第１の実施の形態と同様な処理が行なわれるので詳細な説明は繰り返さない。ここでは、装置ＩＤを受信したとして、ステップＳ２４８に進む。
【０３３５】
ステップＳ２４８では、第１の実施の形態と同様な処理が行なわれるので詳細な説明は繰り返さない。この処理により、選択コンテンツが、映像表示装置６００へストリーミング配信される。選択コンテンツの配信が終了すると、ステップＳ２４８の処理は終了し、再度、ステップＳ２４５の処理が行なわれる。
【０３３６】
映像表示装置６００では、ステップＳ２２９の再生処理において、制御部６１０が、ＶＤＰ６３２を利用して、選択コンテンツをサービスサーバ８００Ａから受信しながら、選択コンテンツに基づく画像（以下、コンテンツ画像ともいう）を、表示部６３０に表示するストリーミング再生表示処理が行なわれる。なお、選択コンテンツの受信が完了し、選択コンテンツに基づく画像の再生が終了した場合、ステップＳ２２９の処理は終了し、再度、ステップＳ２２８の処理が行なわれる。
【０３３７】
なお、再生処理では、選択コンテンツのデータを全てダウンロードした後に、選択コンテンツに基づくコンテンツ画像を、表示部６３０に再生表示する処理が行なわれてもよい。
【０３３８】
以上説明したように、本実施の形態によれば、映像表示装置６００は、登録された装置にしか発行されないユーザ識別情報を保有していなくても、ユーザ識別情報を有する他の装置（通信端末装置５００）で代行して認証処理をしてもらい、認証処理が完了後、サービスサーバ８００Ａから取得要求コンテンツを受信し、取得要求コンテンツに基づくコンテンツ画像を、表示部６３０に再生表示する。
【０３３９】
なお、再生表示されるコンテンツは、通信端末装置５００の表示部５３０において表示された複数のコンテンツのタイトルのうち、ユーザの操作により選択されたタイトルのコンテンツである。
【０３４０】
したがって、本実施の形態では、第１の実施の形態の奏する効果に加え、再生するコンテンツを、手元で容易に選択することが可能となる。
【０３４１】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【図面の簡単な説明】
【０３４２】
【図１】本実施の形態におけるネットワークシステムの構成を示す図である。
【図２】通信端末装置の外観を正面から示した図である。
【図３】通信端末装置の外観を左側面から示した図である。
【図４】通信端末装置の外観を背面から示した図である。
【図５】通信端末装置の内部構成を示したブロック図である。
【図６】映像表示装置の外観を正面から示した図である。
【図７】映像表示装置の内部構成を示したブロック図である。
【図８】サービスサーバの内部構成を示したブロック図である。
【図９】一例としてのリモコン画像を示す図である。
【図１０】一例としてのＷｅｂブラウザ画像を示す図である。
【図１１】登録処理のフローチャートである。
【図１２】一例としてのユーザ識別情報登録データテーブルを示す図である。
【図１３】コンテンツサイトアクセス処理のフローチャートを示す図である。
【図１４】一例としてのコンテンツリストデータを示す図である。
【図１５】一例としてのコンテンツリスト画像を示す図である。
【図１６】一例としての装置データを示す図である。
【図１７】一例としての要求表示画像を示す図である。
【図１８】一例としての認証要求画像を示す図である。
【図１９】一例としての認証完了画像を示す図である。
【図２０】コンテンツサイトアクセス処理Ａのフローチャートを示す図である。
【図２１】代行要求処理、通信端末装置Ｂで行なわれる処理および認証判定処理のフローチャートである。
【図２２】コンテンツサイトアクセス処理Ｂのフローチャートを示す図である。
【図２３】一例としての要求表示画像を示す図である。
【図２４】一例としての簡易リストデータを示す図である。
【図２５】一例としてのコンテンツリスト画像を示す図である。
【符号の説明】
【０３４３】
５０  通信部、７０  ネットワーク、１８０，１８０Ａ，１８０Ｂ  プログラム、３００  リモコン、５００  通信端末装置、５１０，６１０，８１０  制御部、５２０，６２０，８２０  記憶部、５３０，６３０  表示部、５４０  入力部、５５５，５５５Ａ  記録媒体、６００  映像表示装置、８００Ａ  サービスサーバ、８００Ｓ  検索サーバ、８００Ｗ  Ｗｅｂサーバ、１０００  ネットワークシステム。
【図１】
2008005222.tif 000003
【図２】
2008005222.tif 000004
【図３】
2008005222.tif 000005
【図４】
2008005222.tif 000006
【図５】
2008005222.tif 000007
【図６】
2008005222.tif 000008
【図７】
2008005222.tif 000009
【図８】
2008005222.tif 000010
【図９】
2008005222.tif 000011
【図１０】
2008005222.tif 000012
【図１１】
2008005222.tif 000013
【図１２】
2008005222.tif 000014
【図１３】
2008005222.tif 000015
【図１４】
2008005222.tif 000016
【図１５】
2008005222.tif 000017
【図１６】
2008005222.tif 000018
【図１７】
2008005222.tif 000019
【図１８】
2008005222.tif 000020
【図１９】
2008005222.tif 000021
【図２０】
2008005222.tif 000022
【図２１】
2008005222.tif 000023
【図２２】
2008005222.tif 000024
【図２３】
2008005222.tif 000025
【図２４】
2008005222.tif 000026
【図２５】
2008005222.tif 000027